(57)【要約】【課題】ユーザにとって好適な複合機の印刷プログラムを、ユーザに煩雑な操作を強いることなく情報処理装置に容易にインストール可能な通信システムを提供する。【解決手段】通信システムを構成する情報処理装置は、蓄積情報の送信を要求する要求情報を携帯端末に送信する第３送信処理（Ｓ２４）と、要求情報の応答として蓄積情報を携帯端末から受信する情報受信処理（Ｓ２５：Ｙｅｓ）と、蓄積情報に含まれる特定情報で特定される取得元から印刷プログラムを受信するプログラム受信処理（Ｓ２７）と、印刷プログラムを情報処理装置で実行可能にするインストール処理（Ｓ２８）とを実行する。【選択図】図６
2018206428.tif 000002
【特許請求の範囲】
【請求項１】
画像記録装置と、ユーザによって携帯される携帯端末と、情報処理装置とを備える通信システムであって、
前記画像記録装置は、
シートに画像を記録する記録処理を実行する記録部と、
第１通信部と、
前記記録処理の実行を指示する印刷プログラムの取得元を特定するための特定情報を、所定の距離範囲内で無線受信が可能な無線信号として、前記第１通信部を通じて送信する第１送信処理を実行する第１制御部と、を備えており、
前記携帯端末は、
記憶部と、
第２通信部と、
第２制御部と、を備えており、
前記第２制御部は、
前記所定の距離範囲内に位置する前記画像記録装置から前記第２通信部を通じて前記無線信号を受信する信号受信処理と、
前記信号受信処理で受信した前記無線信号に含まれる前記特定情報を、蓄積情報として前記記憶部に記憶させる記憶制御処理と、
前記蓄積情報の送信を要求する要求情報を前記第２通信部を通じて前記情報処理装置から受信したことに応じて、前記記憶部に記憶された前記蓄積情報を前記第２通信部を通じて前記情報処理装置に送信する第２送信処理と、を実行し、
前記情報処理装置は、
操作部と、
第３通信部と、
第３制御部と、を備えており、
前記第３制御部は、
前記情報処理装置が前記画像記録装置に前記記録処理を実行させるための準備を指示するユーザ操作を前記操作部を介して受け付けたことに応じて、前記第３通信部を通じて前記携帯端末に前記要求情報を送信する第３送信処理と、
前記第３通信部を通じて前記携帯端末から前記蓄積情報を、前記要求情報の応答として受信する情報受信処理と、
前記情報受信処理で受信した前記蓄積情報に含まれる前記特定情報で特定される取得元から、前記第３通信部を通じて前記印刷プログラムを受信するプログラム受信処理と、
前記プログラム受信処理で受信した前記印刷プログラムを前記情報処理装置で実行可能にするインストール処理と、を実行する通信システム。
【請求項２】
前記携帯端末の前記第２制御部は、前記第２送信処理において、互いに異なる前記画像記録装置から受信した前記特定情報を含む複数の前記蓄積情報を、前記第２通信部を通じて前記情報処理装置に送信し、
前記情報処理装置の前記第３制御部は、
複数の前記蓄積情報を前記情報受信処理で受信したことに応じて、前記特定情報の送信元である複数の前記画像記録装置のうちの１つを選択するユーザ操作を前記操作部を介して受け付ける選択受付処理をさらに実行し、
前記プログラム受信処理において、前記選択受付処理で選択された前記画像記録装置が送信した前記特定情報で特定される取得元から、前記第３通信部を通じて前記印刷プログラムを受信する請求項１に記載の通信システム。
【請求項３】
前記携帯端末の前記第２制御部は、前記第２送信処理において、互いに異なる前記画像記録装置から受信した前記特定情報を含む複数の前記蓄積情報を、前記第２通信部を通じて前記情報処理装置に送信し、
前記情報処理装置の前記第３制御部は、
複数の前記蓄積情報を前記情報受信処理で受信したことに応じて、各蓄積情報に含まれる前記特定情報で特定される取得元から前記第３通信部を通じて複数の前記印刷プログラムを受信する前記プログラム受信処理と、
前記プログラム受信処理で受信した複数の前記印刷プログラムそれぞれを前記情報処理装置で実行可能にする前記インストール処理と、
前記特定情報の送信元である複数の前記画像記録装置のうちの１つを選択するユーザ操作を前記操作部を介して受け付ける選択受付処理と、
前記選択受付処理で選択された前記画像記録装置に前記記録処理を実行させるための前記印刷プログラムを、優先して使用すべき前記印刷プログラムとして、前記情報処理装置のＯＳに通知する通知処理と、を実行する請求項１に記載の通信システム。
【請求項４】
前記画像記録装置の前記第１制御部は、前記第１送信処理において、当該画像記録装置を識別する識別情報をさらに含む前記無線信号を、前記第１通信部を通じて送信し、
前記携帯端末の前記第２制御部は、前記記憶制御処理において、前記無線信号に含まれる前記識別情報をさらに含む前記蓄積情報を前記記憶部に記憶させ、
前記情報処理装置は、表示部をさらに備えており、
前記情報処理装置の前記第３制御部は、前記選択受付処理において、
複数の前記識別情報それぞれについて、当該識別情報を含む前記蓄積情報の数を表す近接回数をカウントするカウント処理と、
前記識別情報及び前記近接回数を対応付けて前記表示部に一覧表示させる表示処理と、  前記表示処理で表示された複数の前記識別情報のうちの１つを選択するユーザ操作を前記操作部を介して受け付ける受付処理と、を実行する請求項２又は３に記載の通信システム。
【請求項５】
前記携帯端末の前記第２制御部は、前記記憶制御処理において、前記無線信号を受信した受信タイミングを示すタイミング情報をさらに含む前記蓄積情報を前記記憶部に記憶させ、
前記情報処理装置の前記第３制御部は、前記カウント処理において、前記受信タイミング現時点から過去に遡った閾値期間内の前記蓄積情報のみをカウントする請求項４に記載の通信システム。
【請求項６】
前記画像記録装置の前記第１制御部は、前記第１送信処理において、当該画像記録装置を識別する識別情報をさらに含む前記無線信号を、前記第１通信部を通じて送信し、
前記携帯端末の前記第２制御部は、前記記憶制御処理において、前記無線信号に含まれる前記識別情報と、受信した前記無線信号の電波強度を示す強度情報とをさらに含む前記蓄積情報を前記記憶部に記憶させ、
前記情報処理装置の前記第３制御部は、前記選択受付処理において、
複数の前記識別情報それぞれについて、当該識別情報に対応する前記強度情報で示される電波強度の最大値に基づいて、当該識別情報で識別される前記画像記録装置と前記携帯端末とが最も近接した距離に対応する近接距離を特定する特定処理と、
前記識別情報及び前記近接距離を対応付けて前記表示部に一覧表示させる表示処理と、  前記表示処理で表示された複数の前記識別情報のうちの１つを選択するユーザ操作を前記操作部を介して受け付ける受付処理と、を実行する請求項２から５のいずれかに記載の通信システム。
【請求項７】
前記画像記録装置の前記第１制御部は、前記第１送信処理において、当該画像記録装置を識別する識別情報をさらに含む前記無線信号を、前記第１通信部を通じて送信し、
前記携帯端末の前記第２制御部は、前記記憶制御処理において、前記無線信号に含まれる前記識別情報と、当該識別情報を含む前記無線信号を最低閾値以上の電波強度で連続して受信した回数を示す回数情報とをさらに含む前記蓄積情報を前記記憶部に記憶させ、
前記情報処理装置の前記第３制御部は、前記選択受付処理において、
複数の前記識別情報それぞれについて、当該識別情報に対応する前記回数情報に基づいて、当該識別情報で識別される前記画像記録装置と前記携帯端末とが近接した時間に対応する近接時間を特定する特定処理と、
前記識別情報及び前記近接時間を対応付けて前記表示部に一覧表示させる表示処理と、  前記表示処理で表示された複数の前記識別情報のうちの１つを選択するユーザ操作を前記操作部を介して受け付ける受付処理と、を実行する請求項２から６のいずれかに記載の通信システム。
【請求項８】
前記画像記録装置の前記第１制御部は、前記第１送信処理において、当該画像記録装置を識別する識別情報をさらに含む前記無線信号を、前記第１通信部を通じて送信し、
前記携帯端末は、現在位置を示す位置情報を出力する位置出力部をさらに備えており、  前記携帯端末の前記第２制御部は、前記記憶制御処理において、前記無線信号に含まれる前記識別情報、及び当該無線信号を受信した時点において前記位置出力部から出力された前記位置情報をさらに含む前記蓄積情報を前記記憶部に記憶させ、
前記情報処理装置は、表示画面を有する表示部をさらに備えており、
前記情報処理装置の前記第３制御部は、前記選択受付処理において、
複数の前記画像記録装置それぞれの位置を、当該画像記録装置の前記識別情報に対応付けられた前記位置情報に基づいて特定する特定処理と、
前記特定処理で特定された位置に対応する前記表示画面上の位置に当該画像記録装置の前記識別情報を配置したマップ画像を、前記表示部に表示させる表示処理と、
前記表示処理で表示された複数の前記識別情報のうちの１つを選択するユーザ操作を前記操作部を介して受け付ける受付処理と、を実行する請求項２から７のいずれかに記載の通信システム。
【請求項９】
前記携帯端末の前記第２制御部は、前記第２送信処理において、前記要求情報を受信した時点において前記位置出力部から出力された前記位置情報を、現在位置情報として前記第２通信部を通じて前記情報処理装置にさらに送信し、
前記情報処理装置の前記第３制御部は、前記表示処理において、前記現在位置情報で示される位置に対応する前記マップ画像上の位置に、前記情報処理装置を示す画像を含める請求項８に記載の通信システム。
【請求項１０】
前記画像記録装置の前記第１制御部は、前記第１送信処理において、当該画像記録装置を識別する識別情報をさらに含む前記無線信号を、前記第１通信部を通じて送信し、
前記携帯端末の前記第２制御部は、前記記憶制御処理において、前記無線信号に含まれる前記識別情報、及び当該無線信号を受信した受信タイミングを示すタイミング情報をさらに含む前記蓄積情報を前記記憶部に記憶させ、
前記情報処理装置は、表示部をさらに備えており、
前記情報処理装置の前記第３制御部は、前記選択受付処理において、
複数の前記画像記録装置に前記携帯端末が近接した順序を、前記蓄積情報に含まれる前記識別情報及び前記タイミング情報の組み合わせに基づいて特定する特定処理と、
前記複数の前記識別情報及び前記特定処理で特定された近接順序を表す移動軌跡を、前記表示部に表示させる表示処理と、
前記表示処理で表示された複数の前記識別情報のうちの１つを選択するユーザ操作を前記操作部を介して受け付ける受付処理と、を実行する請求項２から９のいずれかに記載の通信システム。
【請求項１１】
前記画像記録装置の前記第１制御部は、前記第１送信処理において、前記記録部に実装された機能を示す機能情報をさらに含む前記無線信号を、前記第１通信部を通じて送信し、
前記携帯端末の前記第２制御部は、前記記憶制御処理において、前記無線信号に含まれる前記機能情報をさらに含む前記蓄積情報を前記記憶部に記憶させ、
前記情報処理装置の前記第３制御部は、前記表示処理において、前記識別情報及び前記機能情報を対応付けて前記表示部に表示させる請求項４から１０のいずれかに記載の通信システム。
【請求項１２】
前記画像記録装置の前記第１制御部は、前記第１送信処理において、予め設定された出力の無線電波である前記無線信号を繰り返し送信する請求項１から１１のいずれかに記載の通信システム。
【請求項１３】
前記画像記録装置の前記第１制御部は、
予め設定された出力の無線電波であるビーコン信号を、前記第１通信部を通じて繰り返し送出するビーコン送出処理と、
前記無線信号の送信を要求する信号要求情報を前記第１通信部を通じて前記携帯端末から受信したことに応じて、前記第１送信処理と、を実行し、
前記携帯端末の前記第２制御部は、前記第２通信部を通じて前記ビーコン信号を受信したことに応じて、前記ビーコン信号の送出元である前記画像記録装置に前記第１通信部を通じて前記信号要求情報を送信する第４送信処理を実行する請求項１から１１のいずれかに記載の通信システム。
【請求項１４】
前記携帯端末の前記第２制御部は、
予め設定された出力の無線電波であるビーコン信号を、前記第２通信部を通じて繰り返し送出するビーコン送出処理と、
前記ビーコン信号を受信した前記画像記録装置から、前記第２通信部を通じて前記無線信号を受信する前記信号受信処理と、を実行し、
前記画像記録装置の前記第１制御部は、前記第１通信部を通じて前記ビーコン信号を受信したことに応じて、前記第１送信処理を実行する請求項１から１１のいずれかに記載の通信システム。
【請求項１５】
操作部と、
通信部と、
制御部と、を備える画像記録装置であって、
前記通信部は、
シートに画像を記録する記録処理の実行を指示する印刷プログラムの取得元を特定するための特定情報を、所定の距離範囲内で無線受信が可能な無線信号として送信する画像記録装置と、
前記所定の距離範囲内に位置する前記画像記録装置から受信した前記無線信号に含まれる前記特定情報を、蓄積情報として記憶する携帯端末と、通信可能であり、
前記制御部は、
前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、
前記通信部を通じて前記携帯端末から前記蓄積情報を、前記要求情報の応答として受信する情報受信処理と、
前記情報受信処理で受信した前記蓄積情報に含まれる前記特定情報で特定される取得元から、前記通信部を通じて前記印刷プログラムを受信するプログラム受信処理と、
前記プログラム受信処理で受信した前記印刷プログラムを該情報処理装置で実行可能にするインストール処理と、を実行する情報処理装置。
【請求項１６】
操作部と、通信部とを備えるコンピュータによって実行可能なプログラムであって、
前記通信部は、
シートに画像を記録する記録処理の実行を指示する印刷プログラムの取得元を特定するための特定情報を、所定の距離範囲内で無線受信が可能な無線信号として送信する画像記録装置と、
前記所定の距離範囲内に位置する前記画像記録装置から受信した前記無線信号に含まれる前記特定情報を、蓄積情報として記憶する携帯端末と、通信可能であり、
該プログラムは、
前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、
前記通信部を通じて前記携帯端末から前記蓄積情報を、前記要求情報の応答として受信する情報受信処理と、
前記情報受信処理で受信した前記蓄積情報に含まれる前記特定情報で特定される取得元から、前記通信部を通じて前記印刷プログラムを受信するプログラム受信処理と、
前記プログラム受信処理で受信した前記印刷プログラムを前記コンピュータで実行可能にするインストール処理と、を前記コンピュータに実行させるプログラム。
【発明の詳細な説明】
【技術分野】
【０００１】
本発明は、記録処理の実行を指示する印刷プログラムのインストールを支援する通信システムに関する。
【背景技術】
【０００２】
従来より、通信ネットワークを介して接続された情報処理装置から画像記録装置に、シートに画像を記録する記録処理の実行を指示することができるシステムが知られている。例えば特許文献１には、このような印刷システムが開示されている。
【０００３】
上記構成の印刷システムにおいて、情報処理装置が画像記録装置に記録処理の実行を指示するためには、記録処理の実行を指示する印刷プログラムを予め情報処理装置にインストールしておく必要がある。そこで、ユーザは、記録処理を実行させようとする画像記録装置に対応する印刷プログラムを、例えばベンダーのＷｅｂサイト等からダウンロードして情報処理装置にインストールする。
【先行技術文献】
【特許文献】
【０００４】
【特許文献１】特開２００５−２０２８２４号公報
【発明の概要】
【発明が解決しようとする課題】
【０００５】
通信ネットワークに複数の画像記録装置が接続されている場合、ユーザは、例えば、情報処理装置の表示画面上において、記録処理を実行させたい画像記録装置を選択する。これにより、当該画像記録装置の印刷プログラムが、情報処理装置にインストールされる。しかしながら、当該表示画面には各画像記録装置のモデル名が一覧表示されているのが一般的であり、この中から所望の画像記録装置を選択することは、ユーザにとっては煩雑であるという課題がある。
【０００６】
本発明は、上記の事情に鑑みてなされたものであり、その目的は、ユーザにとって好適な画像記録装置の印刷プログラムを、ユーザに煩雑な操作を強いることなく情報処理装置に対して容易にインストール可能な通信システムを提供することにある。
【課題を解決するための手段】
【０００７】
(1)  本明細書に記載の通信システムは、画像記録装置と、ユーザによって携帯される携帯端末と、情報処理装置とを備える。前記画像記録装置は、シートに画像を記録する記録処理を実行する記録部と、第１通信部と、前記記録処理の実行を指示する印刷プログラムの取得元を特定するための特定情報を、所定の距離範囲内で無線受信が可能な無線信号として、前記第１通信部を通じて送信する第１送信処理を実行する第１制御部とを備える。前記携帯端末は、記憶部と、第２通信部と、第２制御部とを備える。前記第２制御部は、前記所定の距離範囲内に位置する前記画像記録装置から前記第２通信部を通じて前記無線信号を受信する信号受信処理と、前記信号受信処理で受信した前記無線信号に含まれる前記特定情報を、蓄積情報として前記記憶部に記憶させる記憶制御処理と、前記蓄積情報の送信を要求する要求情報を前記第２通信部を通じて前記情報処理装置から受信したことに応じて、前記記憶部に記憶された前記蓄積情報を前記第２通信部を通じて前記情報処理装置に送信する第２送信処理とを実行する。前記情報処理装置は、操作部と、第３通信部と、第３制御部とを備える。そして、前記第３制御部は、前記情報処理装置が前記画像記録装置に前記記録処理を実行させるための準備を指示するユーザ操作を前記操作部を介して受け付けたことに応じて、前記第３通信部を通じて前記携帯端末に前記要求情報を送信する第３送信処理と、前記第３通信部を通じて前記携帯端末から前記蓄積情報を、前記要求情報の応答として受信する情報受信処理と、前記情報受信処理で受信した前記蓄積情報に含まれる前記特定情報で特定される取得元から、前記第３通信部を通じて前記印刷プログラムを受信するプログラム受信処理と、前記プログラム受信処理で受信した前記印刷プログラムを前記情報処理装置で実行可能にするインストール処理とを実行する。
【０００８】
上記構成によれば、携帯端末を携帯したユーザが画像記録装置の傍を通ることにより、当該画像記録装置から受信した特定情報が携帯端末に蓄積される。そして、携帯端末に蓄積された特定情報で特定される取得元から受信した印刷プログラムが、情報処理装置にインストールされる。すなわち、ユーザの行動範囲内に存在する画像記録装置の印刷プログラムが情報処理装置にインストールされることになる。なお、携帯端末とは、例えば、スマートフォン等の携帯端末であってもよいし、ＩＣチップが実装されたカード等であってもよい。
【０００９】
(2)  一例として、前記携帯端末の前記第２制御部は、前記第２送信処理において、互いに異なる前記画像記録装置から受信した前記特定情報を含む複数の前記蓄積情報を、前記第２通信部を通じて前記情報処理装置に送信する。前記情報処理装置の前記第３制御部は、複数の前記蓄積情報を前記情報受信処理で受信したことに応じて、前記特定情報の送信元である複数の前記画像記録装置のうちの１つを選択するユーザ操作を前記操作部を介して受け付ける選択受付処理をさらに実行する。そして、前記第３制御部は、前記プログラム受信処理において、前記選択受付処理で選択された前記画像記録装置が送信した前記特定情報で特定される取得元から、前記第３通信部を通じて前記印刷プログラムを受信する。
【００１０】
(3)  他の例として、前記携帯端末の前記第２制御部は、前記第２送信処理において、互いに異なる前記画像記録装置から受信した前記特定情報を含む複数の前記蓄積情報を、前記第２通信部を通じて前記情報処理装置に送信する。前記情報処理装置の前記第３制御部は、複数の前記蓄積情報を前記情報受信処理で受信したことに応じて、各蓄積情報に含まれる前記特定情報で特定される取得元から前記第３通信部を通じて複数の前記印刷プログラムを受信する前記プログラム受信処理と、前記プログラム受信処理で受信した複数の前記印刷プログラムそれぞれを前記情報処理装置で実行可能にする前記インストール処理と、前記特定情報の送信元である複数の前記画像記録装置のうちの１つを選択するユーザ操作を前記操作部を介して受け付ける選択受付処理と、前記選択受付処理で選択された前記画像記録装置に前記記録処理を実行させるための前記印刷プログラムを、優先して使用すべき前記印刷プログラムとして、前記情報処理装置のＯＳに通知する通知処理とを実行する。
【００１１】
(4)  好ましくは、前記画像記録装置の前記第１制御部は、前記第１送信処理において、当該画像記録装置を識別する識別情報をさらに含む前記無線信号を、前記第１通信部を通じて送信する。前記携帯端末の前記第２制御部は、前記記憶制御処理において、前記無線信号に含まれる前記識別情報をさらに含む前記蓄積情報を前記記憶部に記憶させる。前記情報処理装置は、表示部をさらに備える。そして、前記情報処理装置の前記第３制御部は、前記選択受付処理において、複数の前記識別情報それぞれについて、当該識別情報を含む前記蓄積情報の数を表す近接回数をカウントするカウント処理と、前記識別情報及び前記近接回数を対応付けて前記表示部に一覧表示させる表示処理と、前記表示処理で表示された複数の前記識別情報のうちの１つを選択するユーザ操作を前記操作部を介して受け付ける受付処理とを実行する。
【００１２】
上記構成によれば、ユーザが頻繁に通る場所に設置された画像記録装置が選択されやすくなるので、ユーザにとって好適な画像記録装置の印刷プログラムが情報処理装置にさらにインストールされやすくなる。
【００１３】
(5)  さらに好ましくは、前記携帯端末の前記第２制御部は、前記記憶制御処理において、前記無線信号を受信した受信タイミングを示すタイミング情報をさらに含む前記蓄積情報を前記記憶部に記憶させる。前記情報処理装置の前記第３制御部は、前記カウント処理において、前記受信タイミング現時点から過去に遡った閾値期間内の前記蓄積情報のみをカウントする。
【００１４】
上記構成によれば、ユーザの最近の行動範囲内に存在する画像記録装置の印刷プログラムが情報処理装置にインストールされやすくなる。
【００１５】
(6)  好ましくは、前記画像記録装置の前記第１制御部は、前記第１送信処理において、当該画像記録装置を識別する識別情報をさらに含む前記無線信号を、前記第１通信部を通じて送信する。前記携帯端末の前記第２制御部は、前記記憶制御処理において、前記無線信号に含まれる前記識別情報と、受信した前記無線信号の電波強度を示す強度情報とをさらに含む前記蓄積情報を前記記憶部に記憶させる。前記情報処理装置の前記第３制御部は、前記選択受付処理において、複数の前記識別情報それぞれについて、当該識別情報に対応する前記強度情報で示される電波強度の最大値に基づいて、当該識別情報で識別される前記画像記録装置と前記携帯端末とが最も近接した距離に対応する近接距離を特定する特定処理と、前記識別情報及び前記近接距離を対応付けて前記表示部に一覧表示させる表示処理と、前記表示処理で表示された複数の前記識別情報のうちの１つを選択するユーザ操作を前記操作部を介して受け付ける受付処理とを実行する。
【００１６】
上記構成によれば、ユーザの行動範囲に最も近い画像記録装置が選択されやすくなるので、ユーザにとって好適な画像記録装置の印刷プログラムが情報処理装置にさらにインストールされやすくなる。
【００１７】
(7)  好ましくは、前記画像記録装置の前記第１制御部は、前記第１送信処理において、当該画像記録装置を識別する識別情報をさらに含む前記無線信号を、前記第１通信部を通じて送信する。前記携帯端末の前記第２制御部は、前記記憶制御処理において、前記無線信号に含まれる前記識別情報と、当該識別情報を含む前記無線信号を最低閾値以上の電波強度で連続して受信した回数を示す回数情報とをさらに含む前記蓄積情報を前記記憶部に記憶させる。前記情報処理装置の前記第３制御部は、前記選択受付処理において、複数の前記識別情報それぞれについて、当該識別情報に対応する前記回数情報に基づいて、当該識別情報で識別される前記画像記録装置と前記携帯端末とが近接した時間に対応する近接時間を特定する特定処理と、前記識別情報及び前記近接時間を対応付けて前記表示部に一覧表示させる表示処理と、前記表示処理で表示された複数の前記識別情報のうちの１つを選択するユーザ操作を前記操作部を介して受け付ける受付処理とを実行する。
【００１８】
上記構成によれば、ユーザが長時間滞在している場所に近い画像記録装置が選択されやすくなるので、ユーザにとって好適な画像記録装置の印刷プログラムが情報処理装置にさらにインストールされやすくなる。
【００１９】
(8)  好ましくは、前記画像記録装置の前記第１制御部は、前記第１送信処理において、当該画像記録装置を識別する識別情報をさらに含む前記無線信号を、前記第１通信部を通じて送信する。前記携帯端末は、現在位置を示す位置情報を出力する位置出力部をさらに備える。前記携帯端末の前記第２制御部は、前記記憶制御処理において、前記無線信号に含まれる前記識別情報、及び当該無線信号を受信した時点において前記位置出力部から出力された前記位置情報をさらに含む前記蓄積情報を前記記憶部に記憶させる。前記情報処理装置は、表示画面を有する表示部をさらに備える。前記情報処理装置の前記第３制御部は、前記選択受付処理において、複数の前記画像記録装置それぞれの位置を、当該画像記録装置の前記識別情報に対応付けられた前記位置情報に基づいて特定する特定処理と、前記特定処理で特定された位置に対応する前記表示画面上の位置に当該画像記録装置の前記識別情報を配置したマップ画像を、前記表示部に表示させる表示処理と、前記表示処理で表示された複数の前記識別情報のうちの１つを選択するユーザ操作を前記操作部を介して受け付ける受付処理とを実行する。
【００２０】
上記構成によれば、表示画面上に相対位置が示された画像記録装置のうちの１つを選択させるので、所望の画像記録装置をユーザに容易に特定させることができる。
【００２１】
(9)  好ましくは、前記携帯端末の前記第２制御部は、前記第２送信処理において、前記要求情報を受信した時点において前記位置出力部から出力された前記位置情報を、現在位置情報として前記第２通信部を通じて前記情報処理装置にさらに送信する。前記情報処理装置の前記第３制御部は、前記表示処理において、前記現在位置情報で示される位置に対応する前記マップ画像上の位置に、前記情報処理装置を示す画像を含める。
【００２２】
上記構成によれば、情報処理装置を基準として各画像記録装置の相対位置を把握できるので、所望の画像記録装置をユーザに容易に特定させることができる。
【００２３】
(10)  好ましくは、前記画像記録装置の前記第１制御部は、前記第１送信処理において、当該画像記録装置を識別する識別情報をさらに含む前記無線信号を、前記第１通信部を通じて送信する。前記携帯端末の前記第２制御部は、前記記憶制御処理において、前記無線信号に含まれる前記識別情報、及び当該無線信号を受信した受信タイミングを示すタイミング情報をさらに含む前記蓄積情報を前記記憶部に記憶させる。前記情報処理装置は、表示部をさらに備える。前記情報処理装置の前記第３制御部は、前記選択受付処理において、複数の前記画像記録装置に前記携帯端末が近接した順序を、前記蓄積情報に含まれる前記識別情報及び前記タイミング情報の組み合わせに基づいて特定する特定処理と、前記複数の前記識別情報及び前記特定処理で特定された近接順序を表す移動軌跡を、前記表示部に表示させる表示処理と、前記表示処理で表示された複数の前記識別情報のうちの１つを選択するユーザ操作を前記操作部を介して受け付ける受付処理とを実行する。
【００２４】
上記構成によれば、ユーザの移動経路上に各画像記録装置がどのように配置されているかを把握できるので、所望の画像記録装置をユーザに容易に特定させることができる。
【００２５】
(11)  好ましくは、前記画像記録装置の前記第１制御部は、前記第１送信処理において、前記記録部に実装された機能を示す機能情報をさらに含む前記無線信号を、前記第１通信部を通じて送信する。前記携帯端末の前記第２制御部は、前記記憶制御処理において、前記無線信号に含まれる前記機能情報をさらに含む前記蓄積情報を前記記憶部に記憶させる。前記情報処理装置の前記第３制御部は、前記表示処理において、前記識別情報及び前記機能情報を対応付けて前記表示部に表示させる。
【００２６】
上記構成によれば、記録部に実装された機能が合わせて表示されるので、所望の機能を有する画像記録装置をユーザに容易に特定させることができる。なお、「機能情報」とは、例えば、カラー印刷の可否、両面印刷の可否、画像記録方式（例えば、インクジェット方式、レーザ方式）等を示すものであってもよい。
【００２７】
(12)  一例として、前記画像記録装置の前記第１制御部は、前記第１送信処理において、予め設定された出力の無線電波である前記無線信号を繰り返し送信する。
【００２８】
(13)  他の例として、前記画像記録装置の前記第１制御部は、予め設定された出力の無線電波であるビーコン信号を、前記第１通信部を通じて繰り返し送出するビーコン送出処理と、前記無線信号の送信を要求する信号要求情報を前記第１通信部を通じて前記携帯端末から受信したことに応じて、前記第１送信処理とを実行する。前記携帯端末の前記第２制御部は、前記第２通信部を通じて前記ビーコン信号を受信したことに応じて、前記ビーコン信号の送出元である前記画像記録装置に前記第１通信部を通じて前記信号要求情報を送信する第４送信処理を実行する。
【００２９】
(14)  他の例として、前記携帯端末の前記第２制御部は、予め設定された出力の無線電波であるビーコン信号を、前記第２通信部を通じて繰り返し送出するビーコン送出処理と、前記ビーコン信号を受信した前記画像記録装置から、前記第２通信部を通じて前記無線信号を受信する前記信号受信処理とを実行する。前記画像記録装置の前記第１制御部は、前記第１通信部を通じて前記ビーコン信号を受信したことに応じて、前記第１送信処理を実行する。
【００３０】
(15)  本明細書に記載の情報処理装置は、操作部と、通信部と、制御部とを備える。前記通信部は、シートに画像を記録する記録処理の実行を指示する印刷プログラムの取得元を特定するための特定情報を、所定の距離範囲内で無線受信が可能な無線信号として送信する画像記録装置と、前記所定の距離範囲内に位置する前記画像記録装置から受信した前記無線信号に含まれる前記特定情報を、蓄積情報として記憶する携帯端末と通信可能である。前記制御部は、前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、前記通信部を通じて前記携帯端末から前記蓄積情報を、前記要求情報の応答として受信する情報受信処理と、前記情報受信処理で受信した前記蓄積情報に含まれる前記特定情報で特定される取得元から、前記通信部を通じて前記印刷プログラムを受信するプログラム受信処理と、前記プログラム受信処理で受信した前記印刷プログラムを該情報処理装置で実行可能にするインストール処理とを実行する。
【００３１】
(16)  本明細書に記載のプログラムは、操作部と、通信部とを備えるコンピュータによって実行可能である。前記通信部は、シートに画像を記録する記録処理の実行を指示する印刷プログラムの取得元を特定するための特定情報を、所定の距離範囲内で無線受信が可能な無線信号として送信する画像記録装置と、前記所定の距離範囲内に位置する前記画像記録装置から受信した前記無線信号に含まれる前記特定情報を、蓄積情報として記憶する携帯端末と通信可能である。該プログラムは、前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、前記通信部を通じて前記携帯端末から前記蓄積情報を、前記要求情報の応答として受信する情報受信処理と、前記情報受信処理で受信した前記蓄積情報に含まれる前記特定情報で特定される取得元から、前記通信部を通じて前記印刷プログラムを受信するプログラム受信処理と、前記プログラム受信処理で受信した前記印刷プログラムを前記コンピュータで実行可能にするインストール処理とを前記コンピュータに実行させる。
【発明の効果】
【００３２】
本発明によれば、ユーザの行動範囲内に存在する画像記録装置の印刷プログラムを情報処理装置にインストールすることができる。
【図面の簡単な説明】
【００３３】
【図１】図１は、実施形態に係る通信システム１００の概略図である。
【図２】図２は、（Ａ）が複合機１０の機能ブロック図であり、（Ｂ）が情報処理装置５０の機能ブロック図である。
【図３】図３は、携帯端末７０の機能ブロック図である。
【図４】図４は、データ記憶領域８２Ｂに記憶された蓄積情報の一例である。
【図５】図５は、ビーコン信号受信時の制御プログラム８５の処理を示すフローチャートである。
【図６】図６は、実施形態に係るプリンタ追加処理のフローチャートである。
【図７】図７は、選択受付処理のフローチャートである。
【図８】図８は、表示部５３の表示例であって、（Ａ）はプリンタ設定画面を、（Ｂ）は近接指示画面を示す。
【図９】図９は、プリンタ選択画面の表示例であって、（Ａ）は実施形態、（Ｂ）は変形例１に対応する。
【図１０】図１０は、表示部５３の表示例であって、（Ａ）は変形例２に係るプリンタ選択画面を、（Ｂ）は変形例３に係るプリンタ設定画面を示す。
【図１１】図１１は、変形例３に係るプリンタ追加処理のフローチャートである。の機能ブロック図である。
【発明を実施するための形態】
【００３４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、下記の実施形態及び変形例１〜３は、任意の組み合わせで組み合わせることができる。
【００３５】
［実施形態］
図１は、本実施形態における通信システム１００の概略図である。図１に示される通信システム１００は、複合機１０Ａ、１０Ｂ（以下、これらを総称して、「複合機１０」と表記することがある。）と、情報処理装置５０と、携帯端末７０とで構成される。複合機１０及び情報処理装置５０は、通信ネットワークを介して相互に通信可能とされている。通信ネットワークの具体例は特に限定されないが、例えば、有線ＬＡＮ（Ｌｏｃａｌ  Ａｒｅａ  Ｎｅｔｗｏｒｋの略）、無線ＬＡＮ１０２、或いはこれらの組み合わせであってもよい。
【００３６】
［複合機１０］
複合機１０は、図２（Ａ）に示されるように、プリンタ部１１と、スキャナ部１２と、表示部２３と、操作部２４と、Ｗｉ−Ｆｉ（Ｗｉ−Ｆｉ  Ａｌｌｉａｎｃｅの登録商標）通信部２５と、近接通信部２６と、ＣＰＵ３１と、記憶部３２と、通信バス３３とを主に備える。複合機１０を構成する各構成要素は、通信バス３３を介して相互に接続されている。複合機１０は、画像記録装置の一例である。Ｗｉ−Ｆｉ通信部２５及び近接通信部２６は、通信部或いは第１通信部の一例である。
【００３７】
［プリンタ部１１、スキャナ部１２］
プリンタ部１１は、画像データで示される画像を記録用紙に記録する記録処理を実行する。記録用紙は、シート或いは記録媒体の一例である。プリンタ部１１の記録方式として、インクジェット方式や電子写真方式などの公知の方式を採用することができる。プリンタ部１１は、記録部の一例である。スキャナ部１２は、原稿に記録されている画像を読み取って画像データを生成するスキャン処理を実行する。複合機１０は、ＦＡＸの送受信を行うＦＡＸ機能、記録用紙に記録された画像を読み取って他の記録用紙に記録するコピー機能等をさらに有してもよい。
【００３８】
［表示部２３］
表示部２３は、各種情報を表示する表示画面を備える。表示部２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００３９】
［操作部２４］
操作部２４は、表示部２３の表示画面に表示されたオブジェクトを選択するユーザの操作を受け付ける。具体的には、操作部２４はボタンを有しており、押下されたボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００４０】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００４１】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００４２】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００４３】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。
【００４４】
［Ｗｉ−Ｆｉ通信部２５］
Ｗｉ−Ｆｉ通信部２５は、外部装置と無線通信を行うためのインタフェースである。複合機１０は、例えば、情報処理装置５０、携帯端末７０、及びインターネット上の不図示のサーバ装置等との間で、Ｗｉ−Ｆｉ通信部２５を通じて各種情報或いは各データを送受信することができる。
【００４５】
Ｗｉ−Ｆｉ通信部２５は、通信機器（例えば、ルータ、アクセスポイント等）を経由した外部装置との通信である間接通信と、通信機器を経由しない外部装置との通信である直接通信とが可能である。Ｗｉ−Ｆｉ通信部２５は、例えば、ＩＥＥＥ８０２．１１規格に準拠した手順で通信を行う。この場合の間接通信とはインフラストラクチャモードによる通信を指し、直接通信とはアドホックモードによる通信或いはＷｉ−Ｆｉダイレクトによる通信を指す。
【００４６】
［近接通信部２６］
近接通信部２６は、予め設定された出力の無線電波のビーコン信号を送出する。ビーコン信号は、例えば、ＮＦＣ（Ｎｅａｒ  Ｆｉｅｌｄ  Ｃｏｍｍｕｎｉｃａｔｉｏｎの略）、Ｂｌｕｅｔｏｏｔｈ（Ｂｌｕｅｔｏｏｔｈ  ＳＩＧ，  Ｉｎｃ．の登録商標）、或いはＢｌｕｅｔｏｏｔｈ  Ｌｏｗ  Ｅｎｅｒｇｙ、Ｂｌｕｅｔｏｏｔｈ  Ｓｍａｒｔ、ｉＢｅａｃｏｎ（Ａｐｐｌｅ  Ｉｎｃ．の登録商標）のいずれかに準拠したものである。上記の各プロトコルは、近接通信プロトコルの一例である。近接通信部２６を通じた無線通信は、近接無線通信或いは直接無線通信の一例である。
【００４７】
本実施形態に係る近接通信部２６は、ビーコン信号を所定の時間間隔で繰り返し送出する。ビーコン信号は、例えば、識別情報、特定情報、及び機能情報（以下、「識別情報等」と表記することがある。）等を含む。近接通信部２６から送出されたビーコン信号は、徐々に減衰しながら空気中を伝搬する。すなわち、ビーコン信号の電波強度は、複合機１０との距離が短い位置ほど強くなり、複合機１０との距離が遠い位置ほど弱くなる傾向がある。ビーコン信号は、所定の距離範囲内で無線受信が可能な無線信号の一例である。
【００４８】
識別情報は、複合機１０Ａ、１０Ｂを識別するための情報である。本実施形態における識別情報は、例えば、複合機１０に設定されたプリンタ名である。本実施形態では、複合機１０Ａのプリンタ名を「プリンタＡ」とし、複合機１０Ｂのプリンタ名を「プリンタＢ」とする。但し、識別情報はプリンタ名に限定されず、複合機１０に割り当てられたシリアル番号等であってもよい。識別情報は、同一のユーザに使用される可能性のある複数の複合機１０Ａ、１０Ｂを区別することができれば、全ての複合機１０に一意に割り当てられたものでなくてもよい。
【００４９】
特定情報は、複合機１０に記録処理の実行を指示する印刷プログラムの取得元を特定するための情報である。印刷プログラムは、所謂デバイスドライバである。より詳細には、印刷プログラムは、情報処理装置５０で選択されたデータを、複合機１０が記録処理を実行可能な形式に変換し、変換されたデータを含む記録指示情報をＷｉ−Ｆｉ通信部５５を通じて複合機１０に送信するためのプログラムである。すなわち、印刷プログラムがインストールされた情報処理装置５０は、複合機１０に記録処理を実行させることができるようになる。
【００５０】
本実施形態における特定情報は、取得先を示すＵＲＬ（Ｕｎｉｆｏｒｍ  Ｒｅｓｏｕｒｃｅ  Ｌｏｃａｔｏｒの略）である。当該ＵＲＬで示される取得先は、例えば、インターネット上のサーバ装置であってもよい。この場合、情報処理装置５０が当該ＵＲＬを用いてサーバ装置と通信すると、サーバ装置が印刷プログラムを返信する。但し、特定情報はＵＲＬに限定されず、複合機１０の型番等であってもよい。この場合の印刷プログラムの取得先は、例えば、複数の印刷プログラムを記憶したサーバ装置を示す共通のＵＲＬと、複合機１０の型番との組み合わせによって特定される。この場合、情報処理装置５０が当該ＵＲＬを用いてサーバ装置と通信し、情報処理装置５０が複合機１０の型番をサーバ装置に送信すると、サーバ装置が印刷プログラムを返信する。
【００５１】
機能情報は、プリンタ部１１に実装された機能を示す機能情報を示す情報である。プリンタ部１１に実装された機能とは、例えば、カラー印刷、モノクロ印刷、両面印刷、片面印刷、Ａ３印刷、Ａ４印刷、Ｂ４印刷、Ｌ版印刷である。機能情報は、例えば、記録処理に用いるインクの色を示す色情報（例えば、“カラー”、“モノクロ”）、記録用紙の両面に画像を記録できるか否かを示す記録面情報（例えば、“両面印刷”、“片面印刷”）、記録処理を実行可能な記録用紙のサイズを示すサイズ情報（例えば、“Ａ３”、“Ａ４”、“Ｂ４”、“Ｌ版”等）等である。本実施形態において、複合機１０Ａの機能情報は、色情報“カラー”、記録面情報“片面印刷”、サイズ情報“Ａ４”、“Ｂ４”とする。また、複合機１０Ｂの機能情報は、色情報“モノクロ”、記録面情報“両面印刷”、サイズ情報“Ａ３”、“Ａ４”、“Ｌ版”とする。
【００５２】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及びＷｉ−Ｆｉ通信部２５や近接通信部２６を通じて外部装置から取得した各種情報等に基づいて、後述する各種プログラムを記憶部３２から取得して実行する。ＣＰＵ３１及び記憶部３２は、制御部或いは第１制御部の一例を構成する。
【００５３】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。ＯＳ３４及び制御プログラム３５は、バイナリ形式にビルドされたプログラムである。なお、制御プログラム３５は、単一のプログラムであってもよいし、複数のプログラムの集合体であってもよい。データ記憶領域３２Ｂには、制御プログラム３５の実行に必要なデータ或いは情報が記憶される。
【００５４】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００５５】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００５６】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５７】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５８】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００５９】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。
【００６０】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「制御プログラムが条件Ａに応じて、処理Ａを実行する」という趣旨の記述は、「制御プログラムは条件Ａであるか否かを判断する。制御プログラムは、肯定判断であることに応じて、処理Ａを実行する」ことを指してもよい。
【００６１】
ＯＳ３４は、複合機１０を構成するハードウェアであるプリンタ部１１、スキャナ部１２、表示部２３、操作部２４、Ｗｉ−Ｆｉ通信部２５、及び近接通信部２６等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。
【００６２】
［情報処理装置５０］
情報処理装置５０は、図２（Ｂ）に示されるように、表示部５３と、操作部５４と、Ｗｉ−Ｆｉ通信部５５と、近接通信部５６と、ＣＰＵ６１と、記憶部６２と、通信バス６３とを主に備える。Ｗｉ−Ｆｉ通信部５５及び近接通信部５６は、通信部或いは第３通信部の一例である。ＣＰＵ６１及び記憶部６２は、制御部或いは第３制御部の一例を構成する。情報処理装置５０は、例えば、ＰＣ（Ｐｅｒｓｏｎａｌ  Ｃｏｍｐｕｔｅｒの略）等である。この場合の情報処理装置５０が備える操作部５４は、例えば、キーボードやマウス等である。但し、情報処理端末５０は、タブレット端末等であってもよい。
【００６３】
［携帯端末７０］
携帯端末７０は、図３に示されるように、表示部７３と、操作部７４と、Ｗｉ−Ｆｉ通信部７５と、近接通信部７６と、ＧＰＳ（Ｇｌｏｂａｌ  Ｐｏｓｉｔｉｏｎｉｎｇ  Ｓｙｓｔｅｍの略）部７７と、ＣＰＵ８１と、記憶部８２と、通信バス８３とを主に備える。Ｗｉ−Ｆｉ通信部７５及び近接通信部７６は、通信部或いは第２通信部の一例である。ＣＰＵ８１及び記憶部８２は、制御部或いは第２制御部の一例を構成する。携帯端末７０は、例えば、スマートフォンやタブレット端末等である。但し、本発明では、近接通信部７６、ＣＰＵ８１、及び記憶部８２が実装されたＩＣチップを含むカード等であってもよい。
【００６４】
ＧＰＳ部７７は、不図示のＧＰＳ衛星が送信する電波を受信し、当該電波に基づいて携帯端末７０の現在位置を特定する位置情報を計算する。ＧＰＳ部７７は、当該位置情報を出力する。ＧＰＳ部７７は、位置出力部の一例である。また、データ記憶領域８２Ｂは、図４に示されるように、蓄積情報を記憶することができる。図４に示される各レコードが蓄積情報に相当する。蓄積情報は、例えば、タイミング情報と、識別情報と、強度情報と、特定情報と、回数情報と、機能情報と、位置情報とを含む。
【００６５】
識別情報は、近接通信部７６を通じて複合機１０から受信したビーコン信号に含まれる情報である。強度情報は、近接通信部７６を通じて複合機１０から受信したビーコン信号の電波強度を示す情報である。タイミング情報は、近接通信部７６を通じて複合機１０から受信したビーコン信号の受信時刻を示す情報である。回数情報は、同一の識別情報を含み且つ電波強度が最低閾値以上のビーコン信号を連続して受信した回数を示す情報である。位置情報は、ビーコン信号を受信した時点においてＧＰＳ部７７から出力された位置情報である。位置情報は、例えば、携帯端末７０の緯度及び経度の組み合わせであってもよい。但し、図４に示される位置情報は例示であって、図１に示される複合機１０Ａ、１０Ｂの位置を正確に表していない。
【００６６】
なお、情報処理装置５０及び携帯端末７０に含まれる表示部５３、７３、操作部５４、７４、Ｗｉ−Ｆｉ通信部５５、７５、近接通信部５６、７６、ＣＰＵ６１、８１、記憶部６２、８２、及び通信バス６３、８３は、複合機１０に含まれる表示部２３、操作部２４、Ｗｉ−Ｆｉ通信部２５、近接通信部２６、ＣＰＵ３１、記憶部３２、及び通信バス３３と共通するので、再度の説明は省略する。
【００６７】
また、本実施形態において、複合機１０の近接通信部２６は、Ｂｌｕｅｔｏｏｔｈ  ＬＥに準拠した近接無線通信が可能である。また、情報処理装置５０の近接通信部５６は、ＮＦＣに準拠した近接無線通信が可能である。さらに、携帯端末７０の近接通信部７６は、Ｂｌｕｅｔｏｏｔｈ  ＬＥに準拠した近接無線通信と、ＮＦＣに準拠した近接無線通信とが可能である。但し、近接通信部２６、５６、７６が準拠している近接通信プロトコルの組み合わせは、上記の例に限定されない。
【００６８】
［通信システム１００の動作］
図５〜図９を参照して、本実施形態に係る通信システム１００の動作を説明する。なお、複合機１０の制御プログラム３５は、Ｂｌｕｅｔｏｏｔｈ  ＬＥに準拠した所定の電波強度のビーコン信号を所定の時間間隔（例えば、１０ｍｓｅｃ）で繰り返し近接通信部２６に送出させている。すなわち、このビーコン信号は、例えば図１に破線で示されるように、複合機１０を中心とする所定の距離範囲内で無線受信が可能な無線信号である。また、このビーコン信号は、識別情報、特定情報、及び機能情報を含む。複合機１０がビーコン信号を送出する処理は、第１送信処理の一例である。
【００６９】
［ビーコン信号受信時の処理］
図５を参照して、ビーコン信号を受信した携帯端末７０が実行するビーコン信号受信時の処理を説明する。情報処理装置５０のユーザは、図１に示される部屋の内外を携帯端末７０を所持して移動することができる。また、携帯端末７０の制御プログラム８５は、Ｂｌｕｅｔｏｏｔｈ  ＬＥに準拠したビーコン信号（以下、「ＢＴビーコン」と表記する。）と、ＮＦＣに準拠したビーコン信号（以下、「ＮＦＣビーコン」と表記する。）とを、近接通信部５６が受信可能な状態にする。すなわち、近接通信部５６は、ビーコン信号を監視している（Ｓ１１）。
【００７０】
制御プログラム８５は、図１に破線で示される範囲に携帯端末７０が持ち込まれたことによって、近接通信部７６を通じて複合機１０からＢＴビーコンを受信する（Ｓ１１：Ｙｅｓ）。また、制御プログラム８５は、近接通信部７６を通じて連続して受信されるＢＴビーコンの数を、回数情報としてカウントする。カウントの対象となるＢＴビーコンは、同一の識別情報を含み、且つ電波強度が最低閾値以上のＢＴビーコンである。最低閾値は、後述する第１閾値よりも小さい値である。携帯端末７０がＢＴビーコンを受信する処理は、信号受信処理の一例である。
【００７１】
次に、制御プログラム８５は、受信したＢＴビーコンの電波強度が最低閾値未満になったか否かを判断する。制御プログラム８５は、肯定判断したことに応じて、ＢＴビーコンのカウントを終了する。或いは、制御プログラム８５は、異なる識別情報を含むＢＴビーコンを受信すると、異なる識別情報を含むＢＴビーコンの電波強度のほうが、カウントしているＢＴビーコンの電波強度よりも強くなったか否かを判断する。制御プログラム８５は、肯定判断したことに応じて、ＢＴビーコンのカウントを終了する。
【００７２】
すなわち、制御プログラム８５は、図１に破線で示される範囲から携帯端末７０が持ち出されたこと、或いは他の複合機１０から送出されたＢＴビーコンを受信したことに応じて、ＢＴビーコンのカウントを終了する。また、制御プログラム８５は、受信したＢＴビーコンの電波強度を、強度情報として近接通信部７６から取得する。強度情報は、連続してカウントした複数のＢＴビーコンのうち、最初或いは最後のＢＴビーコンの電波強度であってもよいし、カウントした全てのＢＴビーコンの電波強度の最大値或いは平均値等であってもよい。
【００７３】
次に、制御プログラム８５は、タイミング情報及び位置情報を取得する（Ｓ１２）。タイミング情報は、ＢＴビーコンを受信したときのＣＰＵ６１のクロックカウンタの値であってもよいし、ＢＴビーコンに含まれる時刻情報等であってもよい。位置情報は、ＢＴビーコンを受信した時点においてＧＰＳ部７７から出力された位置情報である。また、タイミング情報及び位置情報の取得タイミングは、例えば、カウントされた複数のＢＴビーコンのうち、最初のＢＴビーコンを受信したタイミングであってもよいし、最後のＢＴビーコンを受信したタイミングであってもよい。
【００７４】
そして、制御プログラム８５は、ＢＴビーコンから抽出した識別情報等と、カウントした回数情報と、近接通信部７６から取得した強度情報と、ステップＳ１２で取得したタイミング情報及び位置情報とを含む蓄積情報を、図４に示されるデータ記憶領域８２Ｂに記憶させる（Ｓ１３）。ステップＳ１３の処理は、記憶制御処理の一例である。
【００７５】
また、制御プログラム８５は、ＮＦＣビーコンを送出する情報処理装置５０に携帯端末７０がかざされたことによって、情報処理装置５０と携帯端末７０との間の距離が極めて接近すると、近接通信部７６を通じてＮＦＣビーコンを受信する（Ｓ１１：ＮＦＣビーコン）。そして、制御プログラム８５は、ＮＦＣビーコンの送出元である情報処理端末５０とＷｉ−Ｆｉダイレクト接続する（Ｓ１４）。
【００７６】
なお、制御プログラム８５は、ステップＳ１４において、近接通信部７６と情報処理装置５０のとの間でＮＦＣ方式の通信リンクを確立させる。次に、制御プログラム８５は、Ｗｉ−Ｆｉダイレクト接続するために必要な接続情報（例えば、ＳＳＩＤ）を、近接通信部７６を通じて情報処理装置５０に送信する、或いは近接通信部７６を通じて情報処理装置５０から受信する。そして、情報処理装置５０及び携帯端末７０は、当該接続情報を用いて、Ｗｉ−Ｆｉダイレクト接続する。
【００７７】
次に、制御プログラム８５は、Ｗｉ−Ｆｉ通信部７５を通じて、Ｗｉ−Ｆｉダイレクトによる通信によって、情報処理装置５０から要求情報を受信する（Ｓ１５）。なお、Ｗｉ−Ｆｉダイレクト接続された携帯端末７０において、制御プログラム８５がＷｉ−Ｆｉ通信部７５を通じて、Ｗｉ−Ｆｉダイレクトによる通信によって通信することを、単に「Ｗｉ−Ｆｉダイレクト接続されたＷｉ−Ｆｉ通信部７５を通じて通信する」とも記述する。
要求情報は、蓄積情報の送信を要求するための情報である。
【００７８】
次に、制御プログラム８５は、要求情報を受信した時点においてＧＰＳ部７７から出力された位置情報を、現在位置情報として取得する（Ｓ１６）。そして、制御プログラム８５は、データ記憶領域８２Ｂに記憶されている蓄積情報と、ステップＳ１６で取得した現在位置情報とを、Ｗｉ−Ｆｉダイレクト接続されたＷｉ−Ｆｉ通信部７５を通じて情報処理装置５０に送信する（Ｓ１７）。ステップＳ１７の処理は、第２送信処理の一例である。
【００７９】
なお、制御プログラム８５は、ステップＳ１７において、データ記憶領域８２Ｂに記憶された全ての蓄積情報を送信してもよいし、データ記憶領域８２Ｂに記憶された蓄積情報のうち、現時点から過去に遡った閾値期間に含まれる蓄積情報のみを送信してもよいし、現時点から過去に遡った閾値個数の蓄積情報のみを送信してもよい。閾値期間とは、予め限られた期間のことであり、例えば１週間である。閾値個数とは、予め限られた個数のことであり、例えば１６個である。また、制御プログラム８５は、データ記憶領域８２Ｂに記憶された蓄積情報のうち、閾値期間より古くなった蓄積情報、或いは閾値個数の蓄積情報より古い蓄積情報を任意のタイミングで削除してもよい。
【００８０】
［プリンタ追加処理］
次に、図６を参照して、情報処理装置５０が実行するプリンタ追加処理を説明する。まず、情報処理装置５０の制御プログラム６５は、プリンタ設定画面を表示部５３に表示させることができる。図８（Ａ）は、プリンタ設定画面の一例である。図８（Ａ）に示されるプリンタ設定画面は、［プリンタの追加］アイコン１１１を含む。また、プリンタ設定画面は、例えば図１０（Ｂ）に示されるように、既に印刷プログラムがインストールされた複合機１０Ａ、１０Ｂのプリンタアイコン１１９、１２０を含んでもよい。
【００８１】
そして、制御プログラム６５は、［プリンタの追加］アイコン１１１を選択するユーザ操作を操作部５４を介して受け付けたことに応じて、図６に示されるプリンタ追加処理を実行する。［プリンタの追加］アイコン１１１の選択は、情報処理装置５０が複合機１０に記録処理を実行させるための準備を指示するユーザ操作の一例である。より具体的には、［プリンタの追加］アイコン１１１の選択は、情報処理装置５０に印刷プログラムをインストールすることを指示するユーザ操作の一例である。但し、プリンタ追加処理のトリガは、上記の例に限定されない。例えば、印刷プログラムがインストールされていない情報処理装置５０において、制御プログラム６５を通じて記録処理の実行を指示するユーザ操作がなされたことに応じて、プリンタ追加処理が実行されてもよい。
【００８２】
制御プログラム６５は、［プリンタの追加］アイコン１１１が選択されたことに応じて、近接指示画面を表示部５３に表示させる（Ｓ２１）。図８（Ｂ）は、近接指示画面の一例である。図８（Ｂ）に示される近接指示画面は、「携帯端末をかざしてください。」及び「−ビーコン信号送出中−」とのメッセージを含む。また、制御プログラム６５は、ＮＦＣビーコンを所定の時間間隔（例えば、１０ｍｓｅｃ）で繰り返し近接通信部５６に出力させる（Ｓ２２）。ステップＳ２２の処理は、ＮＦＣビーコンを受信した携帯端末７０からの応答信号を受信するまで継続される。
【００８３】
次に、制御プログラム６５は、ＮＦＣビーコンを受信した携帯端末７０とＷｉ−Ｆｉダイレクト接続をする（Ｓ２３：Ｙｅｓ）。情報処理装置５０と携帯端末７０とがＷｉ−Ｆｉダイレクト接続する手順は既に説明したので、再度の説明は省略する。次に、制御プログラム６５は、Ｗｉ−Ｆｉダイレクト接続されたＷｉ−Ｆｉ通信部５５を通じて、携帯端末７０に要求情報を送信する（Ｓ２４）。そして、制御プログラム６５は、Ｗｉ−Ｆｉダイレクト接続されたＷｉ−Ｆｉ通信部５５を通じて、携帯端末７０から蓄積情報を受信する（Ｓ２５）。ステップＳ２４の処理は、第３送信処理の一例である。ステップＳ２５は、情報受信処理の一例である。
【００８４】
次に、制御プログラム６５は、図７に示される選択受付処理を実行する（Ｓ２６）。選択受付処理は、複合機１０Ａ、１０Ｂのうちの１つを選択するユーザ操作を操作部５４を介して受け付ける処理である。選択受付処理は、例えばステップＳ２５において、異なる特定情報を含む複数の蓄積情報を受信したことに応じて実行される。すなわち、選択受付処理は、特定情報の送信元である複合機１０Ａ、１０Ｂの１つをユーザに選択させる処理である。一方、制御プログラム６５は、ステップＳ２５で受信した全ての蓄積情報に同一の特定情報が含まれていることに応じて、選択受付処理をスキップする。
【００８５】
まず、制御プログラム６５は、ステップＳ２５で受信した蓄積情報に基づいて、各複合機１０Ａ、１０Ｂの近接回数をカウントする（Ｓ３１）。具体的には、制御プログラム６５は、ステップＳ２５で受信した複数の蓄積情報のうち、識別情報“プリンタＡ”を含む蓄積情報の数を、複合機１０Ａの近接回数としてカウントする。すなわち、近接回数は、回数情報で示される回数、換言すれば、制御プログラム８５が近接無線通信部７６を通じて連続して受信したＢＴビーコンの数とは概念が異なる数である。同様に、制御プログラム６５は、ステップＳ２５で受信した複数の蓄積情報のうち、識別情報“プリンタＢ”を含む蓄積情報の数を、複合機１０Ｂの近接回数としてカウントする。ステップＳ３１の処理は、カウント処理の一例である。
【００８６】
なお、データ記憶領域８２Ｂに記憶された全ての蓄積情報を携帯端末７０が送信した場合、制御プログラム６５は、閾値期間内の蓄積情報のみ或いは閾値個数の蓄積情報のみをカウントの対象とすればよい。一方、閾値期間内の蓄積情報のみ或いは蓄積個数の蓄積情報のみを携帯端末７０が送信した場合、制御プログラム６５は、受信した全ての蓄積情報をカウントの対象とすればよい。図４の例では、複合機１０Ａの近接回数＝３回であり、複合機１０Ｂの近接回数＝２回である。後述する他の特定処理についても同様である。
【００８７】
また、制御プログラム６５は、ステップＳ３１において、蓄積情報に含まれる強度情報に基づいて、近接距離をさらに特定してもよい。近接距離とは、各複合機１０Ａ、１０Ｂと携帯端末７０とが最も近接した距離を示す情報である。本実施形態における近接距離は、“非常に近い”、“近い”、“やや遠い”の３種類とする。但し、近接距離の表現方法はこれに限定されず、例えば“２ｍ”等であってもよい。近接処理を特定する処理は、特定処理の他の例である。
【００８８】
制御プログラム６５は、例えば、識別情報“プリンタＡ”を含む蓄積情報のうちから、最大の電波強度（以下、「最大電波強度」と表記する。）を示す強度情報を抽出する。そして、制御プログラム６５は、最大電波強度が第１閾値未満であることに応じて、複合機１０Ａの近接距離を“やや遠い”にする。また、制御プログラム６５は、最大電波強度が第１閾値以上で且つ第２閾値未満であることに応じて、複合機１０Ａの近接距離を“近い”にする。さらに、制御プログラム６５は、最大電波強度が第２閾値以上であることに応じて、複合機１０Ａの近接距離を“非常に近い”にする。なお、第２閾値は、第１閾値より大きい。また、複合機１０Ｂの近接距離の特定方法も同様である。
【００８９】
次に、制御プログラム６５は、プリンタ選択画面を表示部５３に表示させる（Ｓ３２）。図９（Ａ）は、プリンタ選択画面の一例である。図９（Ａ）に示されるプリンタ選択画面は、１以上のプリンタアイコン１１２、１１３を含む。プリンタアイコン１１２、１１３それぞれは、蓄積情報に含まれる識別情報のうち、互いに異なる識別情報に対応付けられている。すなわち、プリンタ選択画面に含まれるプリンタアイコン１１２、１１３の数は、蓄積情報に含まれる識別情報で識別される複合機１０Ａ、１０Ｂの数と一致する。
【００９０】
また、プリンタアイコン１１２、１１３には、識別情報と、当該識別情報に対応する近接距離、近接回数、及び機能情報とが表示されている。識別情報及び機能情報は、蓄積情報から抽出されたものである。近接回数及び近接距離は、ステップＳ３１で特定されたものである。ステップＳ３２の処理は、識別情報、近接距離、近接回数、及び機能情報を対応付けて一覧表示させる表示処理の一例である。但し、プリンタ選択画面において、近接距離、近接回数、及び機能情報の表示は必須ではなく、一部又は全部を省略してもよいし、他の情報をさらに加えてもよい。
【００９１】
次に、制御プログラム６５は、プリンタ選択画面に含まれるプリンタアイコン１１２、１１３の１つを選択するユーザ操作を操作部５４を介して受け付けたことに応じて（Ｓ３３：Ｙｅｓ）、選択受付処理を終了する。本実施形態では、複合機１０Ａに対応するプリンタアイコン１１２が選択されたものとして、以下の処理を説明する。ステップＳ３３の処理は、受付処理の一例である。
【００９２】
図６に戻って、制御プログラム６５は、選択受付処理で選択をプリンタアイコン１１２に対応する蓄積情報から特定情報を抽出する。そして、制御プログラム６５は、抽出した特定情報で特定される取得元から、Ｗｉ−Ｆｉ通信部５５を通じて印刷プログラムを受信する（Ｓ２７）。本実施形態に係る制御プログラム６５は、識別情報“プリンタＡ”に対応する特定情報“ｂｒｏｔｈｅｒ．ｃｏｍ／プリンタＡ”から印刷プログラムを受信する。ステップＳ２７の処理は、プログラム受信処理の一例である。
【００９３】
次に、制御プログラム６５は、受信した印刷プログラムを情報処理装置５０にインストールする（Ｓ２８）。インストールとは、当該印刷プログラムを情報処理装置５０で実行可能にするための処理である。制御プログラム６５は、例えばステップＳ２８において、プログラム記憶領域６２Ａの所定の場所に印刷プログラムを記憶させ、当該印刷プログラムの情報をＯＳ６４のレジストリに登録する。ステップＳ２８の処理は、インストール処理の一例である。これにより、情報処理装置５０は、ユーザからの指示に従って、複合機１０Ａに記録処理を実行させることができるようになる。
【００９４】
具体的には、情報処理装置の制御プログラム６５は、記録処理の対象となるデータを指定するユーザ操作を操作部５４を介して受け付ける。次に、制御プログラム６５は、指定されたデータで示される画像を記録用紙に記録することを指示する記録指示情報を印刷プログラムに生成させる。そして、制御プログラム６５は、Ｗｉ−Ｆｉ通信部５５を通じて複合機１０に記録指示情報を送信する。一方、複合機１０の制御プログラム３５は、Ｗｉ−Ｆｉ通信部２５を通じて情報処理装置５０から記録指示情報を受信する。そして、制御プログラム３５は、受信した記録指示情報に従って記録処理を実行する。
【００９５】
［本実施形態の作用効果］
上記の実施形態によれば、携帯端末７０を携帯したユーザが複合機１０Ａ、１０Ｂの傍を通ることにより、当該複合機１０Ａ、１０Ｂから受信した特定情報が携帯端末７０に蓄積される。そして、携帯端末７０に蓄積された特定情報で特定される取得元から受信した印刷プログラムが、情報処理装置５０にインストールされる。すなわち、ユーザの行動範囲内に存在する複合機１０Ａ、１０Ｂの印刷プログラムを、ユーザに煩雑な操作を強いることなく、情報処理装置５０にインストールすることができる。
【００９６】
なお、上記の実施形態では、識別情報等がＢＴビーコンに含まれている例を説明したが、複合機１０と携帯端末５０との間で識別情報等を送受信する方法は、これに限定されない。例えば、携帯端末７０の制御プログラム８５は、所定の電波強度のＢＴビーコンを所定の時間間隔で繰り返し近接通信部７６に送出させてもよい。そして、当該ＢＴビーコンを受信した複合機１０の制御プログラム３５は、ＢＴビーコンの送出元である携帯端末７０に識別情報等を無線送信してもよい。
【００９７】
また、携帯端末７０の制御プログラム８５は、近接通信部７６を通じてＢＴビーコンを受信したことに応じて、複合機１０との間で通信リンクを確立させてもよい。そして、制御プログラム８５は、確立した通信リンクを通じて複合機１０に信号要求情報を送信してもよい。信号要求情報は、識別情報等の送信を要求するための情報である。そして、制御プログラム８５は、信号要求情報の応答として、確立した通信リンクを通じて複合機１０から識別情報等を受信してもよい。ここでの通信リンクとは、例えば、ＮＦＣに準拠した通信リンク、Ｂｌｕｅｔｏｏｔｈに準拠した通信リンク、Ｗｉ−Ｆｉダイレクトに準拠した通信リンクであってもよい。
【００９８】
同様に、情報処理装置５０と携帯端末７０との間で蓄積情報を送受信する方法は、ＮＦＣ及びＷｉ−Ｆｉダイレクトの組み合わせに限定されない。一例として、携帯端末７０の制御プログラム８５は、近接通信部７６にＮＦＣビーコンを送出させてもよい。そして、制御プログラム８５は、ＮＦＣビーコンを受信した情報処理装置５０から要求情報を受信したことに応じて、当該情報処理装置５０に蓄積情報を送信してもよい。他の例として、制御プログラム８５は、情報処理装置５０のとの間に確立されたＮＦＣに準拠した通信リンクを通じて、情報処理装置５０に蓄積情報を送信してもよい。さらに他の例として、制御プログラム８５は、無線ＬＡＮを通じて情報処理装置５０に蓄積情報を送受信してもよい。
【００９９】
また、上記の実施形態におけるプリンタ選択画面には、複合機１０Ａ、１０Ｂの近接距離、近接回数、及び機能が、識別情報と対応付けて表示される。これにより、行動範囲に最も近い複合機１０、或いは所望の機能を有している複合機１０を、ユーザに容易に選択させることができる。また、現時点から過去に遡った閾値期間内の蓄積情報のみを用いることによって、ユーザの最近の行動範囲内に存在する複合機１０の印刷プログラムが情報処理装置５０にインストールされやすくなる。但し、プリンタ選択画面に表示させる情報は、図９（Ａ）の例に限定されない。
【０１００】
例えば、情報処理装置５０の制御プログラム６５は、蓄積情報に含まれる回数情報と、ＢＴビーコンの送出間隔（例えば、１０ｍｓｅｃ）とを乗算することによって、近接時間を算出することができる。近接時間は、携帯端末７０を所持したユーザが複合機１０の近くに滞在している時間を指す。そして、制御プログラム６５は、プリンタ選択画面において、識別情報に対応付けて近接時間を表示させてもよい。これにより、ユーザが長時間滞在している場所に近い複合機１０が選択されやすくなる。また、変形例１、２において、プリンタ選択画面に表示させる情報の他の例を説明する。
【０１０１】
［変形例１］
図９（Ｂ）を参照して、変形例１に係る選択受付処理を説明する。なお、上記の実施形態との共通点の詳しい説明は省略し、相違点を中心に説明する。
【０１０２】
まず、情報処理装置５０の制御プログラム６５は、ステップＳ２５で受信した蓄積情報及び現在位置情報に基づいて、複合機１０Ａ、１０Ｂ及び情報処理装置５０の相対位置を特定する（Ｓ３１）。複合機１０Ａ、１０Ｂの位置は、識別情報に対応付けて蓄積情報に含められた位置情報によって特定される。情報処理装置５０は、蓄積情報と共に受信した現在位置情報によって特定される。
【０１０３】
すなわち、携帯端末７０がＢＴビーコンを受信した位置が、当該ＢＴビーコンの送出元の複合機１０Ａ、１０Ｂの位置とみなされる。また、情報処理装置５０にかざされた携帯端末７０の位置が、情報処理装置５０の位置とみなされる。また、制御プログラム６５は、同一の識別情報を含む複数の蓄積情報が存在する場合に、例えば、最大電波強度を示す強度情報に対応する位置情報を用いて複合機１０の位置を特定してもよいし、全ての位置情報の平均値を用いて複合機１０の位置を特定してもよい。
【０１０４】
制御プログラム６５は、例えばステップＳ３１において、情報処理装置５０の位置を基準とし、情報処理装置５０から南西方向に２ｍ離れた位置に複合機１０Ａが存在し、情報処理装置５０から北東方向に３ｍ離れた位置に複合機１０Ｂが存在することを特定してもよい。但し、複合機１０Ａ、１０Ｂ及び情報処理装置５０の相対位置の特定方法は、これに限定されない。
【０１０５】
次に、制御プログラム６５は、プリンタ選択画面を表示部５３に表示させる（Ｓ３２）。図９（Ｂ）は、プリンタ選択画面の他の例である。図９（Ｂ）に示されるプリンタ選択画面は、情報処理装置５０の位置を表すプロット８４と、複合機１０Ａ、１０Ｂそれぞれの位置を示すプロット８５、８６と、各プロット８５、８６で示される複合機１０Ａ、１０Ｂのプリンタ名及び機能を表示するバルーンとを含む。
【０１０６】
図９（Ｂ）に示されるプリンタ選択画面は、特定処理で特定された位置に対応する表示画面上の位置に複合機１０Ａ、１０Ｂの識別情報及び情報処理装置５０を示す画像を配置したマップ画像の一例である。なお、各バルーンに表示される情報は図９（Ｂ）の例に限定されず、例えば、近接回数、近接距離、近接時間等であってもよい。
【０１０７】
次に、制御プログラム６５は、複合機１０Ａ、１０Ｂのプロット８５、８６の１つを選択するユーザ操作を操作部５４を介して受け付けたことに応じて（Ｓ３３：Ｙｅｓ）、選択受付処理を終了する。選択されたプロット８５で示される複合機１０Ａの印刷プログラムを受信してインストールする処理（Ｓ２７、Ｓ２８）は、上記の実施形態と共通するので、再度の説明は省略する。
【０１０８】
すなわち、制御プログラム６５は、変形例１に係る選択受付処理において、ユーザが選択したプロット８５、８６に対応する複合機１０の選択を受け付けることができる。変形例１によれば、情報処理装置５０を基準として各複合機１０Ａ、１０Ｂの相対位置を把握できるので、所望の複合機１０をユーザに容易に特定させることができる。
【０１０９】
［変形例２］
次に、図１０（Ａ）を参照して、変形例２に係る選択受付処理を説明する。なお、上記の実施形態及び変形例１との共通点の詳しい説明は省略し、相違点を中心に説明する。
【０１１０】
まず、情報処理装置５０の制御プログラム６５は、ステップＳ２５で受信した蓄積情報に含まれる識別情報及びタイミング情報の組み合わせに基づいて、複合機１０Ａ、１０Ｂに携帯端末７０が近接した順序を特定する（Ｓ３１）。制御プログラム６５は、例えば、各蓄積情報に含まれる識別情報を、タイミング情報の昇順に並べることによって、近接順序を特定することができる。図４の例における近接順序は、過去から未来に向かって、プリンタＡ、プリンタＢ、プリンタＢ、プリンタＡ、プリンタＡの順である。
【０１１１】
次に、制御プログラム６５は、プリンタ選択画面を表示部５３に表示させる（Ｓ３２）。図１０（Ａ）は、プリンタ選択画面の他の例である。図１０（Ａ）に示されるプリンタ選択画面は、複合機１０Ａ、１０Ｂの識別情報が表示されたプリンタアイコン１１７、１１８と、特定処理で特定された近接順序を表す移動軌跡とを含む。図１０（Ａ）の例における移動軌跡は、プリンタアイコン１１７、１１８から延びる直線の間に配置された矢印で示される。携帯端末７０を所持したユーザの移動の向きが矢印の向きで示され、ユーザの移動の速度が矢印の傾きで示される。
【０１１２】
なお、図１０（Ａ）に示される矢印は、携帯端末７０を所持したユーザが複合機１０Ａ、１０Ｂの一方から他方に向かってまっすぐ進んできたことを表すものではない。図１０（Ａ）に示される矢印は、携帯端末７０を所持したユーザが、複合機１０Ａに近づいた後に複合機１０Ｂに近づいたこと、複合機１０Ｂから一旦離れた後に再び複合機１０Ｂに近づいたこと等を示しているに過ぎない。
【０１１３】
次に、制御プログラム６５は、プリンタ選択画面に含まれるプリンタアイコン１１７、１１８の１つを選択するユーザ操作を操作部５４を介して受け付けたことに応じて（Ｓ３３：Ｙｅｓ）、選択受付処理を終了する。選択されたプリンタアイコン１１７で示される複合機１０Ａの印刷プログラムを受信してインストールする処理（Ｓ２７、Ｓ２８）は、上記の実施形態と共通するので、再度の説明は省略する。
【０１１４】
すなわち、制御プログラム６５は、変形例２に係る選択受付処理において、ユーザが選択したプリンタアイコン１１７、１１８に対応する複合機１０の選択を受け付けることができる。変形例２によれば、ユーザの移動経路上に各複合機１０Ａ、１０Ｂがどのように配置されているかを把握できるので、所望の複合機１０をユーザに容易に特定させることができる。
【０１１５】
［変形例３］
次に、図１１を参照して、変形例３に係るプリンタ追加処理を説明する。なお、上記の実施形態及び変形例１、２との共通点の詳しい説明は省略し、相違点を中心に説明する。図１１のステップＳ２１〜Ｓ２５は、図６と共通する。一方、変形例３に係るプリンタ追加処理は、図１１のステップＳ４１〜Ｓ４４において、蓄積情報に含まれる特定情報で特定される全ての印刷プログラムを情報処理装置５０にインストールする点において、上記の実施形態と相違する。
【０１１６】
まず、情報処理装置５０の制御プログラム６５は、ステップＳ２５で受信した蓄積情報から全ての特定情報を抽出する。次に、制御プログラム６５は、抽出した特定情報それぞれで特定される取得元から、Ｗｉ−Ｆｉ通信部５５を通じて印刷プログラムを受信する（Ｓ４１）。次に、制御プログラム６５は、受信した印刷プログラムを情報処理装置５０にインストールする（Ｓ４２）。図４の例では、複合機１０Ａ、１０Ｂの印刷プログラムがインストールされる。ステップＳ４１の処理は、プログラム受信処理の他の例である。ステップＳ４２の処理は、インストール処理の他の例である。
【０１１７】
次に、制御プログラム６５は、選択受付処理を実行する（Ｓ４３）。ステップＳ４３では、実施形態及び変形例１、２で説明した選択受付処理のいずれか、或いはこれらを組み合わせた選択受付処理が実行される。そして、制御プログラム６５は、ステップＳ４３で選択された複合機１０の印刷プログラムを、優先して使用すべき印刷プログラムとしてＯＳ６４に通知する（Ｓ４４）。ステップＳ４４の処理は、通知処理の一例である。
【０１１８】
なお、優先して使用すべき印刷プログラムとは、例えば、情報処理装置５０で実行される任意のプログラムを通じて複合機１０に記録処理を実行させようとする場合に、デフォルトで選択される印刷プログラムを指す。すなわち、ステップＳ４３で複合機１０Ａが選択された場合、ユーザが複合機１０Ｂを明示的に選択しない限り、複合機１０Ａに記録処理を実行させる印刷プログラムが選択される。優先して使用すべき印刷プログラムは、例えば図１０（Ｂ）に示されるプリンタ設定画面において、プリンタアイコン１１９に付加された“レ”マークによって確認することができる。
【０１１９】
変形例３によれば、ユーザの行動範囲内に位置する全ての複合機１０Ａ、１０Ｂの印刷プログラムがインストールされ、且つユーザが選択した複合機１０Ａの印刷プログラムが優先して使用すべき印刷プログラムに設定される。その結果、ユーザによって好適な複合機１０に容易に記録処理を実行させることができる。
【０１２０】
また、実施形態及び変形例１〜３の複合機１０、情報処理装置５０，及び携帯端末７０において、記憶部３２、６２、８２のプログラム記憶領域３２Ａ、６２Ａ、８２Ａに記憶された各種プログラムがＣＰＵ３１、６１、８１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１２１】
さらに、本発明は、複合機１０、情報処理装置５０、及び携帯端末７０として実現できるだけでなく、複合機１０、情報処理装置５０，及び携帯端末７０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して複合機１０、情報処理装置５０、及び携帯端末７０に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【０１２２】
１０・・・複合機
１１・・・プリンタ部
３１，６１，８１・・・ＣＰＵ
５３・・・表示部
５４・・・操作部
２５，５５，７５・・・Ｗｉ−Ｆｉ通信部
２６，５６，７６・・・近接通信部
３２，６２，８２・・・記憶部
３５，６５，８５・・・制御プログラム
５０・・・情報処理装置
７０・・・携帯端末
７７・・・ＧＰＳ部
１００・・・通信システム
【図１】
2018206428.tif 000003
【図２】
2018206428.tif 000004
【図３】
2018206428.tif 000005
【図４】
2018206428.tif 000006
【図５】
2018206428.tif 000007
【図６】
2018206428.tif 000008
【図７】
2018206428.tif 000009
【図８】
2018206428.tif 000010
【図９】
2018206428.tif 000011
【図１０】
2018206428.tif 000012
【図１１】
2018206428.tif 000013
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
画像記録装置と、ユーザによって携帯される携帯端末と、情報処理装置とを備える通信システムであって、
前記画像記録装置は、
シートに画像を記録する記録処理を実行する記録部と、
第１通信部と、
前記記録処理の実行指示先として前記画像記録装置を特定するための識別情報を、所定の距離範囲内で無線受信が可能な無線信号として、前記第１通信部を通じて送信する第１送信処理を実行する第１制御部と、を備えており、
前記携帯端末は、
記憶部と、
第２通信部と、
第２制御部と、を備えており、
前記第２制御部は、
前記所定の距離範囲内に位置する前記画像記録装置から前記第２通信部を通じて前記無線信号を受信する信号受信処理と、
前記信号受信処理で受信した前記無線信号に含まれる前記識別情報を、蓄積情報として前記記憶部に記憶させる記憶制御処理と、
前記蓄積情報の送信を要求する要求情報を前記第２通信部を通じて前記情報処理装置から受信したことに応じて、前記記憶部に記憶された前記蓄積情報を前記第２通信部を通じて前記情報処理装置に送信する第２送信処理と、を実行し、
前記情報処理装置は、
操作部と、
第３通信部と、
第３制御部と、を備えており、
前記第３制御部は、
前記情報処理装置が前記画像記録装置に前記記録処理を実行させるための準備を指示するユーザ操作を前記操作部を介して受け付けたことに応じて、前記第３通信部を通じて前記携帯端末に前記要求情報を送信する第３送信処理と、
前記第３通信部を通じて前記携帯端末から前記蓄積情報を、前記要求情報の応答として受信する情報受信処理と、
前記情報受信処理で受信した前記蓄積情報に含まれる前記識別情報で特定される前記画像記録装置を前記記録処理の実行指示先とするよう、前記情報処理装置をセットアップするセットアップ処理と、を実行し、
前記携帯端末の前記第２制御部は、前記第２送信処理において、互いに異なる前記画像記録装置から受信した前記識別情報を含む複数の前記蓄積情報を、前記第２通信部を通じて前記情報処理装置に送信し、
前記情報処理装置の前記第３制御部は、
複数の前記蓄積情報を前記情報受信処理で受信したことに応じて、前記識別情報の送信元である複数の前記画像記録装置のうちの１つを選択するユーザ操作を前記操作部を介して受け付ける選択受付処理を実行し、
前記セットアップ処理において、前記選択受付処理で選択された前記画像記録装置を優先して、前記記録処理の実行指示先とするよう前記情報処理装置をセットアップする通信システム。
【請求項２】
前記情報処理装置は、表示部をさらに備えており、
前記情報処理装置の前記第３制御部は、前記選択受付処理において、
複数の前記識別情報それぞれについて、当該識別情報を含む前記蓄積情報の数を表す近接回数をカウントするカウント処理と、
前記識別情報及び前記近接回数を対応付けて前記表示部に一覧表示させる表示処理と、
前記表示処理で表示された複数の前記識別情報のうちの１つを選択するユーザ操作を前記操作部を介して受け付ける受付処理と、を実行する請求項１に記載の通信システム。
【請求項３】
前記携帯端末の前記第２制御部は、前記記憶制御処理において、前記無線信号を受信した受信タイミングを示すタイミング情報をさらに含む前記蓄積情報を前記記憶部に記憶させ、
前記情報処理装置の前記第３制御部は、前記カウント処理において、前記受信タイミング現時点から過去に遡った閾値期間内の前記蓄積情報のみをカウントする請求項２に記載の通信システム。
【請求項４】
前記情報処理装置は、表示部をさらに備えており、
前記携帯端末の前記第２制御部は、前記記憶制御処理において、前記無線信号に含まれる前記識別情報と、受信した前記無線信号の電波強度を示す強度情報とをさらに含む前記蓄積情報を前記記憶部に記憶させ、
前記情報処理装置の前記第３制御部は、前記選択受付処理において、
複数の前記識別情報それぞれについて、当該識別情報に対応する前記強度情報で示される電波強度の最大値に基づいて、当該識別情報で識別される前記画像記録装置と前記携帯端末とが最も近接した距離に対応する近接距離を特定する特定処理と、
前記識別情報及び前記近接距離を対応付けて前記表示部に一覧表示させる表示処理と、
前記表示処理で表示された複数の前記識別情報のうちの１つを選択するユーザ操作を前記操作部を介して受け付ける受付処理と、を実行する請求項１に記載の通信システム。
【請求項５】
前記情報処理装置は、表示部をさらに備えており、
前記携帯端末の前記第２制御部は、前記記憶制御処理において、前記無線信号に含まれる前記識別情報と、当該識別情報を含む前記無線信号を最低閾値以上の電波強度で連続して受信した回数を示す回数情報とをさらに含む前記蓄積情報を前記記憶部に記憶させ、
前記情報処理装置の前記第３制御部は、前記選択受付処理において、
複数の前記識別情報それぞれについて、当該識別情報に対応する前記回数情報に基づいて、当該識別情報で識別される前記画像記録装置と前記携帯端末とが近接した時間に対応する近接時間を特定する特定処理と、
前記識別情報及び前記近接時間を対応付けて前記表示部に一覧表示させる表示処理と、
前記表示処理で表示された複数の前記識別情報のうちの１つを選択するユーザ操作を前記操作部を介して受け付ける受付処理と、を実行する請求項１に記載の通信システム。
【請求項６】
前記情報処理装置は、表示画面を有する表示部をさらに備えており、
前記携帯端末は、現在位置を示す位置情報を出力する位置出力部をさらに備えており、
前記携帯端末の前記第２制御部は、前記記憶制御処理において、前記無線信号に含まれる前記識別情報、及び当該無線信号を受信した時点において前記位置出力部から出力された前記位置情報をさらに含む前記蓄積情報を前記記憶部に記憶させ、
前記情報処理装置の前記第３制御部は、前記選択受付処理において、
複数の前記画像記録装置それぞれの位置を、当該画像記録装置の前記識別情報に対応付けられた前記位置情報に基づいて特定する特定処理と、
前記特定処理で特定された位置に対応する前記表示画面上の位置に当該画像記録装置の前記識別情報を配置したマップ画像を、前記表示部に表示させる表示処理と、
前記表示処理で表示された複数の前記識別情報のうちの１つを選択するユーザ操作を前記操作部を介して受け付ける受付処理と、を実行する請求項１に記載の通信システム。
【請求項７】
前記携帯端末の前記第２制御部は、前記第２送信処理において、前記要求情報を受信した時点において前記位置出力部から出力された前記位置情報を、現在位置情報として前記第２通信部を通じて前記情報処理装置にさらに送信し、
前記情報処理装置の前記第３制御部は、前記表示処理において、前記現在位置情報で示される位置に対応する前記マップ画像上の位置に、前記情報処理装置を示す画像を含める請求項６に記載の通信システム。
【請求項８】
前記情報処理装置は、表示部をさらに備えており、
前記携帯端末の前記第２制御部は、前記記憶制御処理において、前記無線信号に含まれる前記識別情報、及び当該無線信号を受信した受信タイミングを示すタイミング情報をさらに含む前記蓄積情報を前記記憶部に記憶させ、
前記情報処理装置の前記第３制御部は、前記選択受付処理において、
複数の前記画像記録装置に前記携帯端末が近接した順序を、前記蓄積情報に含まれる前記識別情報及び前記タイミング情報の組み合わせに基づいて特定する特定処理と、
前記複数の前記識別情報及び前記特定処理で特定された近接順序を表す移動軌跡を、前記表示部に表示させる表示処理と、
前記表示処理で表示された複数の前記識別情報のうちの１つを選択するユーザ操作を前記操作部を介して受け付ける受付処理と、を実行する請求項１に記載の通信システム。
【請求項９】
前記画像記録装置の前記第１制御部は、前記第１送信処理において、前記記録部に実装された機能を示す機能情報をさらに含む前記無線信号を、前記第１通信部を通じて送信し、
前記携帯端末の前記第２制御部は、前記記憶制御処理において、前記無線信号に含まれる前記機能情報をさらに含む前記蓄積情報を前記記憶部に記憶させ、
前記情報処理装置の前記第３制御部は、前記表示処理において、前記識別情報及び前記機能情報を対応付けて前記表示部に表示させる請求項２から８のいずれかに記載の通信システム。
【請求項１０】
前記画像記録装置の前記第１制御部は、前記第１送信処理において、予め設定された出力の無線電波である前記無線信号を繰り返し送信する請求項１から９のいずれかに記載の通信システム。
【請求項１１】
前記画像記録装置の前記第１制御部は、
予め設定された出力の無線電波であるビーコン信号を、前記第１通信部を通じて繰り返し送出するビーコン送出処理と、
前記無線信号の送信を要求する信号要求情報を前記第１通信部を通じて前記携帯端末から受信したことに応じて、前記第１送信処理と、を実行し、
前記携帯端末の前記第２制御部は、前記第２通信部を通じて前記ビーコン信号を受信したことに応じて、前記ビーコン信号の送出元である前記画像記録装置に前記第１通信部を通じて前記信号要求情報を送信する第４送信処理を実行する請求項１から９のいずれかに記載の通信システム。
【請求項１２】
前記携帯端末の前記第２制御部は、
予め設定された出力の無線電波であるビーコン信号を、前記第２通信部を通じて繰り返し送出するビーコン送出処理と、
前記ビーコン信号を受信した前記画像記録装置から、前記第２通信部を通じて前記無線信号を受信する前記信号受信処理と、を実行し、
前記画像記録装置の前記第１制御部は、前記第１通信部を通じて前記ビーコン信号を受信したことに応じて、前記第１送信処理を実行する請求項１から９のいずれかに記載の通信システム。
【請求項１３】
操作部と、
通信部と、
制御部と、を備える情報処理装置であって、
前記通信部は、
シートに画像を記録する記録処理を実行する画像記録装置を特定するための識別情報を、所定の距離範囲内で無線受信が可能な無線信号として送信する画像記録装置と、
前記所定の距離範囲内に位置する前記画像記録装置から受信した前記無線信号に含まれる前記識別情報を、蓄積情報として記憶する携帯端末と、通信可能であり、
前記制御部は、
前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、
前記通信部を通じて前記携帯端末から前記蓄積情報を、前記要求情報の応答として受信する情報受信処理と、
前記情報受信処理で受信した前記蓄積情報に含まれる前記識別情報で特定される前記画像記録装置を前記記録処理の実行指示先とするよう、前記情報処理装置をセットアップするセットアップ処理と、を実行し、前記携帯端末は、互いに異なる前記画像記録装置から受信した前記識別情報を含む複数の前記蓄積情報を前記情報処理装置に送信し、
前記情報処理装置の前記制御部は、
複数の前記蓄積情報を前記情報受信処理で受信したことに応じて、前記識別情報の送信元である複数の前記画像記録装置のうちの１つを選択するユーザ操作を前記操作部を介して受け付ける選択受付処理を実行し、
前記セットアップ処理において、前記選択受付処理で選択された前記画像記録装置を優先して、前記記録処理の実行指示先とするよう前記情報処理装置をセットアップする情報処理装置。
【請求項１４】
表示部をさらに備えており、
前記情報処理装置の前記制御部は、前記選択受付処理において、
複数の前記識別情報それぞれについて、当該識別情報を含む前記蓄積情報の数を表す近接回数をカウントするカウント処理と、
前記識別情報及び前記近接回数を対応付けて前記表示部に一覧表示させる表示処理と、
前記表示処理で表示された複数の前記識別情報のうちの１つを選択するユーザ操作を前記操作部を介して受け付ける受付処理と、を実行する請求項１３に記載の情報処理装置。
【請求項１５】
表示部をさらに備えており、
前記携帯端末は、前記無線信号に含まれる前記識別情報と、受信した前記無線信号の電波強度を示す強度情報とをさらに含む前記蓄積情報を記憶し、
前記情報処理装置の前記制御部は、前記選択受付処理において、
複数の前記識別情報それぞれについて、当該識別情報に対応する前記強度情報で示される電波強度の最大値に基づいて、当該識別情報で識別される前記画像記録装置と前記携帯端末とが最も近接した距離に対応する近接距離を特定する特定処理と、
前記識別情報及び前記近接距離を対応付けて前記表示部に一覧表示させる表示処理と、
前記表示処理で表示された複数の前記識別情報のうちの１つを選択するユーザ操作を前記操作部を介して受け付ける受付処理と、を実行する請求項１３に記載の情報処理装置。
【請求項１６】
表示部をさらに備えており、
前記携帯端末は、前記無線信号に含まれる前記識別情報と、当該識別情報を含む前記無線信号を最低閾値以上の電波強度で連続して受信した回数を示す回数情報とをさらに含む前記蓄積情報を記憶し、
前記情報処理装置の前記制御部は、前記選択受付処理において、
複数の前記識別情報それぞれについて、当該識別情報に対応する前記回数情報に基づいて、当該識別情報で識別される前記画像記録装置と前記携帯端末とが近接した時間に対応する近接時間を特定する特定処理と、
前記識別情報及び前記近接時間を対応付けて前記表示部に一覧表示させる表示処理と、
前記表示処理で表示された複数の前記識別情報のうちの１つを選択するユーザ操作を前記操作部を介して受け付ける受付処理と、を実行する請求項１３に記載の情報処理装置。
【請求項１７】
表示画面を有する表示部をさらに備えており、
前記携帯端末は、現在位置を示す位置情報を出力する位置出力部をさらに備えており、前記無線信号に含まれる前記識別情報、及び当該無線信号を受信した時点において前記位置出力部から出力された前記位置情報をさらに含む前記蓄積情報を記憶し、
前記情報処理装置の前記制御部は、前記選択受付処理において、
複数の前記画像記録装置それぞれの位置を、当該画像記録装置の前記識別情報に対応付けられた前記位置情報に基づいて特定する特定処理と、
前記特定処理で特定された位置に対応する前記表示画面上の位置に当該画像記録装置の前記識別情報を配置したマップ画像を、前記表示部に表示させる表示処理と、
前記表示処理で表示された複数の前記識別情報のうちの１つを選択するユーザ操作を前記操作部を介して受け付ける受付処理と、を実行する請求項１３に記載の情報処理装置。
【請求項１８】
表示部をさらに備えており、
前記携帯端末は、前記無線信号に含まれる前記識別情報、及び当該無線信号を受信した受信タイミングを示すタイミング情報をさらに含む前記蓄積情報を記憶し、
前記情報処理装置の前記制御部は、前記選択受付処理において、
複数の前記画像記録装置に前記携帯端末が近接した順序を、前記蓄積情報に含まれる前記識別情報及び前記タイミング情報の組み合わせに基づいて特定する特定処理と、
前記複数の前記識別情報及び前記特定処理で特定された近接順序を表す移動軌跡を、前記表示部に表示させる表示処理と、
前記表示処理で表示された複数の前記識別情報のうちの１つを選択するユーザ操作を前記操作部を介して受け付ける受付処理と、を実行する請求項１３に記載の情報処理装置。
【請求項１９】
操作部と、通信部とを備える情報処理装置のコンピュータによって実行可能なプログラムであって、
前記通信部は、
シートに画像を記録する記録処理を実行する画像記録装置を特定するための識別情報を、所定の距離範囲内で無線受信が可能な無線信号として送信する画像記録装置と、
前記所定の距離範囲内に位置する前記画像記録装置から受信した前記無線信号に含まれる前記識別情報を、蓄積情報として記憶する携帯端末と、通信可能であり、
該プログラムは、
前記情報処理装置が前記画像記録装置に前記記録処理を実行させるための準備を指示するユーザ操作を前記操作部を介して受け付けたことに応じて、前記蓄積情報の送信を要求する要求情報を前記通信部を通じて前記携帯端末に送信する送信処理と、
前記通信部を通じて前記携帯端末から前記蓄積情報を、前記要求情報の応答として受信する情報受信処理と、
前記情報受信処理で受信した前記蓄積情報に含まれる前記識別情報で特定される前記画像記録装置を前記記録処理の実行指示先とするよう、前記情報処理装置をセットアップするセットアップ処理と、を前記コンピュータに実行させ、前記携帯端末は、互いに異なる前記画像記録装置から受信した前記識別情報を含む複数の前記蓄積情報を前記情報処理装置に送信し、
前記プログラムは、
前記識別情報の送信元である複数の前記画像記録装置のうちの１つを選択するユーザ操作を前記操作部を介して受け付ける選択受付処理を前記コンピュータに実行させ、
前記セットアップ処理において、前記選択受付処理で選択された前記画像記録装置を優先して、前記記録処理の実行指示先とするよう前記情報処理装置をセットアップするプログラム。
【請求項２０】
前記情報処理装置は、表示部をさらに備えており、
前記プログラムは、前記選択受付処理において、
複数の前記識別情報それぞれについて、当該識別情報を含む前記蓄積情報の数を表す近接回数をカウントするカウント処理と、
前記識別情報及び前記近接回数を対応付けて前記表示部に一覧表示させる表示処理と、
前記表示処理で表示された複数の前記識別情報のうちの１つを選択するユーザ操作を前記操作部を介して受け付ける受付処理と、を前記コンピュータに実行させる請求項１９に記載のプログラム。
【請求項２１】
前記情報処理装置は、表示部をさらに備えており、
前記携帯端末は、前記無線信号に含まれる前記識別情報と、受信した前記無線信号の電波強度を示す強度情報とをさらに含む前記蓄積情報を記憶し、
前記プログラムは、前記選択受付処理において、
複数の前記識別情報それぞれについて、当該識別情報に対応する前記強度情報で示される電波強度の最大値に基づいて、当該識別情報で識別される前記画像記録装置と前記携帯端末とが最も近接した距離に対応する近接距離を特定する特定処理と、
前記識別情報及び前記近接距離を対応付けて前記表示部に一覧表示させる表示処理と、
前記表示処理で表示された複数の前記識別情報のうちの１つを選択するユーザ操作を前記操作部を介して受け付ける受付処理と、を前記コンピュータに実行させる請求項１９に記載のプログラム。
【請求項２２】
前記情報処理装置は、表示部をさらに備えており、
前記携帯端末は、前記無線信号に含まれる前記識別情報と、当該識別情報を含む前記無線信号を最低閾値以上の電波強度で連続して受信した回数を示す回数情報とをさらに含む前記蓄積情報を記憶し、
前記プログラムは、前記選択受付処理において、
複数の前記識別情報それぞれについて、当該識別情報に対応する前記回数情報に基づいて、当該識別情報で識別される前記画像記録装置と前記携帯端末とが近接した時間に対応する近接時間を特定する特定処理と、
前記識別情報及び前記近接時間を対応付けて前記表示部に一覧表示させる表示処理と、
前記表示処理で表示された複数の前記識別情報のうちの１つを選択するユーザ操作を前記操作部を介して受け付ける受付処理と、を前記コンピュータに実行させる請求項１９に記載のプログラム。
【請求項２３】
前記情報処理装置は、表示画面を有する表示部をさらに備えており、
前記携帯端末は、現在位置を示す位置情報を出力する位置出力部をさらに備えており、前記無線信号に含まれる前記識別情報、及び当該無線信号を受信した時点において前記位置出力部から出力された前記位置情報をさらに含む前記蓄積情報を記憶し、
前記プログラムは、前記選択受付処理において、
複数の前記画像記録装置それぞれの位置を、当該画像記録装置の前記識別情報に対応付けられた前記位置情報に基づいて特定する特定処理と、
前記特定処理で特定された位置に対応する前記表示画面上の位置に当該画像記録装置の前記識別情報を配置したマップ画像を、前記表示部に表示させる表示処理と、
前記表示処理で表示された複数の前記識別情報のうちの１つを選択するユーザ操作を前記操作部を介して受け付ける受付処理と、を前記コンピュータに実行させる請求項１９に記載のプログラム。
【請求項２４】
前記情報処理装置は、表示部をさらに備えており、
前記携帯端末は、前記無線信号に含まれる前記識別情報、及び当該無線信号を受信した受信タイミングを示すタイミング情報をさらに含む前記蓄積情報を記憶し、
前記プログラムは、前記選択受付処理において、
複数の前記画像記録装置に前記携帯端末が近接した順序を、前記蓄積情報に含まれる前記識別情報及び前記タイミング情報の組み合わせに基づいて特定する特定処理と、
前記複数の前記識別情報及び前記特定処理で特定された近接順序を表す移動軌跡を、前記表示部に表示させる表示処理と、
前記表示処理で表示された複数の前記識別情報のうちの１つを選択するユーザ操作を前記操作部を介して受け付ける受付処理と、を前記コンピュータに実行させる請求項１９に記載のプログラム。
【手続補正２】
【補正対象書類名】明細書
【補正対象項目名】全文
【補正方法】変更
【補正の内容】
【発明の詳細な説明】
【技術分野】
【０００１】
本発明は、記録処理の実行を指示する情報処理装置のセットアップを支援する通信システムに関する。
【背景技術】
【０００２】
従来より、通信ネットワークを介して接続された情報処理装置から画像記録装置に、シートに画像を記録する記録処理の実行を指示することができるシステムが知られている。例えば特許文献１には、このような印刷システムが開示されている。
【０００３】
上記構成の印刷システムにおいて、情報処理装置が画像記録装置に記録処理の実行を指示するためには、記録処理の実行を指示する印刷プログラムを予め情報処理装置にインストールしておく必要がある。そこで、ユーザは、記録処理を実行させようとする画像記録装置に対応する印刷プログラムを、例えばベンダーのＷｅｂサイト等からダウンロードして情報処理装置にインストールする。
【先行技術文献】
【特許文献】
【０００４】
【特許文献１】特開２００５−２０２８２４号公報
【発明の概要】
【発明が解決しようとする課題】
【０００５】
通信ネットワークに複数の画像記録装置が接続されている場合、ユーザは、例えば、情報処理装置の表示画面上において、記録処理を実行させたい画像記録装置を選択する。これにより、当該画像記録装置の印刷プログラムが、情報処理装置にインストールされる。しかしながら、当該表示画面には各画像記録装置のモデル名が一覧表示されているのが一般的であり、この中から所望の画像記録装置を選択することは、ユーザにとっては煩雑であるという課題がある。
【０００６】
本発明は、上記の事情に鑑みてなされたものであり、その目的は、ユーザにとって好適な画像記録装置に印刷を指示可能な通信システムを提供することにある。
【課題を解決するための手段】
【０００７】
本明細書に記載の通信システムは、画像記録装置と、ユーザによって携帯される携帯端末と、情報処理装置とを備える。前記画像記録装置は、シートに画像を記録する記録処理を実行する記録部と、第１通信部と、前記記録処理の実行指示先として前記画像記録装置を特定するための識別情報を、所定の距離範囲内で無線受信が可能な無線信号として、前記第１通信部を通じて送信する第１送信処理を実行する第１制御部と、を備える。前記携帯端末は、記憶部と、第２通信部と、第２制御部と、を備える。前記第２制御部は、前記所定の距離範囲内に位置する前記画像記録装置から前記第２通信部を通じて前記無線信号を受信する信号受信処理と、前記信号受信処理で受信した前記無線信号に含まれる前記識別情報を、蓄積情報として前記記憶部に記憶させる記憶制御処理と、前記蓄積情報の送信を要求する要求情報を前記第２通信部を通じて前記情報処理装置から受信したことに応じて、前記記憶部に記憶された前記蓄積情報を前記第２通信部を通じて前記情報処理装置に送信する第２送信処理と、を実行する。前記情報処理装置は、操作部と、第３通信部と、第３制御部と、を備える。前記第３制御部は、前記情報処理装置が前記画像記録装置に前記記録処理を実行させるための準備を指示するユーザ操作を前記操作部を介して受け付けたことに応じて、前記第３通信部を通じて前記携帯端末に前記要求情報を送信する第３送信処理と、前記第３通信部を通じて前記携帯端末から前記蓄積情報を、前記要求情報の応答として受信する情報受信処理と、前記情報受信処理で受信した前記蓄積情報に含まれる前記識別情報で特定される前記画像記録装置を前記記録処理の実行指示先とするよう、前記情報処理装置をセットアップするセットアップ処理と、を実行する。前記携帯端末の前記第２制御部は、前記第２送信処理において、互いに異なる前記画像記録装置から受信した前記識別情報を含む複数の前記蓄積情報を、前記第２通信部を通じて前記情報処理装置に送信する。前記情報処理装置の前記第３制御部は、複数の前記蓄積情報を前記情報受信処理で受信したことに応じて、前記識別情報の送信元である複数の前記画像記録装置のうちの１つを選択するユーザ操作を前記操作部を介して受け付ける選択受付処理を実行し、前記セットアップ処理において、前記選択受付処理で選択された前記画像記録装置を優先して、前記記録処理の実行指示先とするよう前記情報処理装置をセットアップする。
【０００８】
（削除）
【０００９】
（削除）
【００１０】
（削除）
【００１１】
（削除）
【００１２】
（削除）
【００１３】
（削除）
【００１４】
（削除）
【００１５】
（削除）
【００１６】
（削除）
【００１７】
（削除）
【００１８】
（削除）
【００１９】
（削除）
【００２０】
（削除）
【００２１】
（削除）
【００２２】
（削除）
【００２３】
（削除）
【００２４】
（削除）
【００２５】
（削除）
【００２６】
（削除）
【００２７】
（削除）
【００２８】
（削除）
【００２９】
（削除）
【００３０】
（削除）
【００３１】
（削除）
【発明の効果】
【００３２】
本発明によれば、ユーザの行動範囲内に存在する画像記録装置に印刷を指示することができる。
【図面の簡単な説明】
【００３３】
【図１】図１は、実施形態に係る通信システム１００の概略図である。
【図２】図２は、（Ａ）が複合機１０の機能ブロック図であり、（Ｂ）が情報処理装置５０の機能ブロック図である。
【図３】図３は、携帯端末７０の機能ブロック図である。
【図４】図４は、データ記憶領域８２Ｂに記憶された蓄積情報の一例である。
【図５】図５は、ビーコン信号受信時の制御プログラム８５の処理を示すフローチャートである。
【図６】図６は、実施形態に係るプリンタ追加処理のフローチャートである。
【図７】図７は、選択受付処理のフローチャートである。
【図８】図８は、表示部５３の表示例であって、（Ａ）はプリンタ設定画面を、（Ｂ）は近接指示画面を示す。
【図９】図９は、プリンタ選択画面の表示例であって、（Ａ）は実施形態、（Ｂ）は変形例１に対応する。
【図１０】図１０は、表示部５３の表示例であって、（Ａ）は変形例２に係るプリンタ選択画面を、（Ｂ）は変形例３に係るプリンタ設定画面を示す。
【図１１】図１１は、変形例３に係るプリンタ追加処理のフローチャートである。の機能ブロック図である。
【発明を実施するための形態】
【００３４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、下記の実施形態及び変形例１〜３は、任意の組み合わせで組み合わせることができる。
【００３５】
［実施形態］
図１は、本実施形態における通信システム１００の概略図である。図１に示される通信システム１００は、複合機１０Ａ、１０Ｂ（以下、これらを総称して、「複合機１０」と表記することがある。）と、情報処理装置５０と、携帯端末７０とで構成される。複合機１０及び情報処理装置５０は、通信ネットワークを介して相互に通信可能とされている。通信ネットワークの具体例は特に限定されないが、例えば、有線ＬＡＮ（Ｌｏｃａｌ  Ａｒｅａ  Ｎｅｔｗｏｒｋの略）、無線ＬＡＮ１０２、或いはこれらの組み合わせであってもよい。
【００３６】
［複合機１０］
複合機１０は、図２（Ａ）に示されるように、プリンタ部１１と、スキャナ部１２と、表示部２３と、操作部２４と、Ｗｉ−Ｆｉ（Ｗｉ−Ｆｉ  Ａｌｌｉａｎｃｅの登録商標）通信部２５と、近接通信部２６と、ＣＰＵ３１と、記憶部３２と、通信バス３３とを主に備える。複合機１０を構成する各構成要素は、通信バス３３を介して相互に接続されている。複合機１０は、画像記録装置の一例である。Ｗｉ−Ｆｉ通信部２５及び近接通信部２６は、通信部或いは第１通信部の一例である。
【００３７】
［プリンタ部１１、スキャナ部１２］
プリンタ部１１は、画像データで示される画像を記録用紙に記録する記録処理を実行する。記録用紙は、シート或いは記録媒体の一例である。プリンタ部１１の記録方式として、インクジェット方式や電子写真方式などの公知の方式を採用することができる。プリンタ部１１は、記録部の一例である。スキャナ部１２は、原稿に記録されている画像を読み取って画像データを生成するスキャン処理を実行する。複合機１０は、ＦＡＸの送受信を行うＦＡＸ機能、記録用紙に記録された画像を読み取って他の記録用紙に記録するコピー機能等をさらに有してもよい。
【００３８】
［表示部２３］
表示部２３は、各種情報を表示する表示画面を備える。表示部２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００３９】
［操作部２４］
操作部２４は、表示部２３の表示画面に表示されたオブジェクトを選択するユーザの操作を受け付ける。具体的には、操作部２４はボタンを有しており、押下されたボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００４０】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００４１】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００４２】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００４３】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。
【００４４】
［Ｗｉ−Ｆｉ通信部２５］
Ｗｉ−Ｆｉ通信部２５は、外部装置と無線通信を行うためのインタフェースである。複合機１０は、例えば、情報処理装置５０、携帯端末７０、及びインターネット上の不図示のサーバ装置等との間で、Ｗｉ−Ｆｉ通信部２５を通じて各種情報或いは各データを送受信することができる。
【００４５】
Ｗｉ−Ｆｉ通信部２５は、通信機器（例えば、ルータ、アクセスポイント等）を経由した外部装置との通信である間接通信と、通信機器を経由しない外部装置との通信である直接通信とが可能である。Ｗｉ−Ｆｉ通信部２５は、例えば、ＩＥＥＥ８０２．１１規格に準拠した手順で通信を行う。この場合の間接通信とはインフラストラクチャモードによる通信を指し、直接通信とはアドホックモードによる通信或いはＷｉ−Ｆｉダイレクトによる通信を指す。
【００４６】
［近接通信部２６］
近接通信部２６は、予め設定された出力の無線電波のビーコン信号を送出する。ビーコン信号は、例えば、ＮＦＣ（Ｎｅａｒ  Ｆｉｅｌｄ  Ｃｏｍｍｕｎｉｃａｔｉｏｎの略）、Ｂｌｕｅｔｏｏｔｈ（Ｂｌｕｅｔｏｏｔｈ  ＳＩＧ，  Ｉｎｃ．の登録商標）、或いはＢｌｕｅｔｏｏｔｈ  Ｌｏｗ  Ｅｎｅｒｇｙ、Ｂｌｕｅｔｏｏｔｈ  Ｓｍａｒｔ、ｉＢｅａｃｏｎ（Ａｐｐｌｅ  Ｉｎｃ．の登録商標）のいずれかに準拠したものである。上記の各プロトコルは、近接通信プロトコルの一例である。近接通信部２６を通じた無線通信は、近接無線通信或いは直接無線通信の一例である。
【００４７】
本実施形態に係る近接通信部２６は、ビーコン信号を所定の時間間隔で繰り返し送出する。ビーコン信号は、例えば、識別情報、特定情報、及び機能情報（以下、「識別情報等」と表記することがある。）等を含む。近接通信部２６から送出されたビーコン信号は、徐々に減衰しながら空気中を伝搬する。すなわち、ビーコン信号の電波強度は、複合機１０との距離が短い位置ほど強くなり、複合機１０との距離が遠い位置ほど弱くなる傾向がある。ビーコン信号は、所定の距離範囲内で無線受信が可能な無線信号の一例である。
【００４８】
識別情報は、複合機１０Ａ、１０Ｂを識別するための情報である。本実施形態における識別情報は、例えば、複合機１０に設定されたプリンタ名である。本実施形態では、複合機１０Ａのプリンタ名を「プリンタＡ」とし、複合機１０Ｂのプリンタ名を「プリンタＢ」とする。但し、識別情報はプリンタ名に限定されず、複合機１０に割り当てられたシリアル番号等であってもよい。識別情報は、同一のユーザに使用される可能性のある複数の複合機１０Ａ、１０Ｂを区別することができれば、全ての複合機１０に一意に割り当てられたものでなくてもよい。
【００４９】
特定情報は、複合機１０に記録処理の実行を指示する印刷プログラムの取得元を特定するための情報である。印刷プログラムは、所謂デバイスドライバである。より詳細には、印刷プログラムは、情報処理装置５０で選択されたデータを、複合機１０が記録処理を実行可能な形式に変換し、変換されたデータを含む記録指示情報をＷｉ−Ｆｉ通信部５５を通じて複合機１０に送信するためのプログラムである。すなわち、印刷プログラムがインストールされた情報処理装置５０は、複合機１０に記録処理を実行させることができるようになる。
【００５０】
本実施形態における特定情報は、取得先を示すＵＲＬ（Ｕｎｉｆｏｒｍ  Ｒｅｓｏｕｒｃｅ  Ｌｏｃａｔｏｒの略）である。当該ＵＲＬで示される取得先は、例えば、インターネット上のサーバ装置であってもよい。この場合、情報処理装置５０が当該ＵＲＬを用いてサーバ装置と通信すると、サーバ装置が印刷プログラムを返信する。但し、特定情報はＵＲＬに限定されず、複合機１０の型番等であってもよい。この場合の印刷プログラムの取得先は、例えば、複数の印刷プログラムを記憶したサーバ装置を示す共通のＵＲＬと、複合機１０の型番との組み合わせによって特定される。この場合、情報処理装置５０が当該ＵＲＬを用いてサーバ装置と通信し、情報処理装置５０が複合機１０の型番をサーバ装置に送信すると、サーバ装置が印刷プログラムを返信する。
【００５１】
機能情報は、プリンタ部１１に実装された機能を示す機能情報を示す情報である。プリンタ部１１に実装された機能とは、例えば、カラー印刷、モノクロ印刷、両面印刷、片面印刷、Ａ３印刷、Ａ４印刷、Ｂ４印刷、Ｌ版印刷である。機能情報は、例えば、記録処理に用いるインクの色を示す色情報（例えば、“カラー”、“モノクロ”）、記録用紙の両面に画像を記録できるか否かを示す記録面情報（例えば、“両面印刷”、“片面印刷”）、記録処理を実行可能な記録用紙のサイズを示すサイズ情報（例えば、“Ａ３”、“Ａ４”、“Ｂ４”、“Ｌ版”等）等である。本実施形態において、複合機１０Ａの機能情報は、色情報“カラー”、記録面情報“片面印刷”、サイズ情報“Ａ４”、“Ｂ４”とする。また、複合機１０Ｂの機能情報は、色情報“モノクロ”、記録面情報“両面印刷”、サイズ情報“Ａ３”、“Ａ４”、“Ｌ版”とする。
【００５２】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及びＷｉ−Ｆｉ通信部２５や近接通信部２６を通じて外部装置から取得した各種情報等に基づいて、後述する各種プログラムを記憶部３２から取得して実行する。ＣＰＵ３１及び記憶部３２は、制御部或いは第１制御部の一例を構成する。
【００５３】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。ＯＳ３４及び制御プログラム３５は、バイナリ形式にビルドされたプログラムである。なお、制御プログラム３５は、単一のプログラムであってもよいし、複数のプログラムの集合体であってもよい。データ記憶領域３２Ｂには、制御プログラム３５の実行に必要なデータ或いは情報が記憶される。
【００５４】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００５５】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００５６】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５７】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５８】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００５９】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。
【００６０】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「制御プログラムが条件Ａに応じて、処理Ａを実行する」という趣旨の記述は、「制御プログラムは条件Ａであるか否かを判断する。制御プログラムは、肯定判断であることに応じて、処理Ａを実行する」ことを指してもよい。
【００６１】
ＯＳ３４は、複合機１０を構成するハードウェアであるプリンタ部１１、スキャナ部１２、表示部２３、操作部２４、Ｗｉ−Ｆｉ通信部２５、及び近接通信部２６等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。
【００６２】
［情報処理装置５０］
情報処理装置５０は、図２（Ｂ）に示されるように、表示部５３と、操作部５４と、Ｗｉ−Ｆｉ通信部５５と、近接通信部５６と、ＣＰＵ６１と、記憶部６２と、通信バス６３とを主に備える。Ｗｉ−Ｆｉ通信部５５及び近接通信部５６は、通信部或いは第３通信部の一例である。ＣＰＵ６１及び記憶部６２は、制御部或いは第３制御部の一例を構成する。情報処理装置５０は、例えば、ＰＣ（Ｐｅｒｓｏｎａｌ  Ｃｏｍｐｕｔｅｒの略）等である。この場合の情報処理装置５０が備える操作部５４は、例えば、キーボードやマウス等である。但し、情報処理端末５０は、タブレット端末等であってもよい。
【００６３】
［携帯端末７０］
携帯端末７０は、図３に示されるように、表示部７３と、操作部７４と、Ｗｉ−Ｆｉ通信部７５と、近接通信部７６と、ＧＰＳ（Ｇｌｏｂａｌ  Ｐｏｓｉｔｉｏｎｉｎｇ  Ｓｙｓｔｅｍの略）部７７と、ＣＰＵ８１と、記憶部８２と、通信バス８３とを主に備える。Ｗｉ−Ｆｉ通信部７５及び近接通信部７６は、通信部或いは第２通信部の一例である。ＣＰＵ８１及び記憶部８２は、制御部或いは第２制御部の一例を構成する。携帯端末７０は、例えば、スマートフォンやタブレット端末等である。但し、本発明では、近接通信部７６、ＣＰＵ８１、及び記憶部８２が実装されたＩＣチップを含むカード等であってもよい。
【００６４】
ＧＰＳ部７７は、不図示のＧＰＳ衛星が送信する電波を受信し、当該電波に基づいて携帯端末７０の現在位置を特定する位置情報を計算する。ＧＰＳ部７７は、当該位置情報を出力する。ＧＰＳ部７７は、位置出力部の一例である。また、データ記憶領域８２Ｂは、図４に示されるように、蓄積情報を記憶することができる。図４に示される各レコードが蓄積情報に相当する。蓄積情報は、例えば、タイミング情報と、識別情報と、強度情報と、特定情報と、回数情報と、機能情報と、位置情報とを含む。
【００６５】
識別情報は、近接通信部７６を通じて複合機１０から受信したビーコン信号に含まれる情報である。強度情報は、近接通信部７６を通じて複合機１０から受信したビーコン信号の電波強度を示す情報である。タイミング情報は、近接通信部７６を通じて複合機１０から受信したビーコン信号の受信時刻を示す情報である。回数情報は、同一の識別情報を含み且つ電波強度が最低閾値以上のビーコン信号を連続して受信した回数を示す情報である。位置情報は、ビーコン信号を受信した時点においてＧＰＳ部７７から出力された位置情報である。位置情報は、例えば、携帯端末７０の緯度及び経度の組み合わせであってもよい。但し、図４に示される位置情報は例示であって、図１に示される複合機１０Ａ、１０Ｂの位置を正確に表していない。
【００６６】
なお、情報処理装置５０及び携帯端末７０に含まれる表示部５３、７３、操作部５４、７４、Ｗｉ−Ｆｉ通信部５５、７５、近接通信部５６、７６、ＣＰＵ６１、８１、記憶部６２、８２、及び通信バス６３、８３は、複合機１０に含まれる表示部２３、操作部２４、Ｗｉ−Ｆｉ通信部２５、近接通信部２６、ＣＰＵ３１、記憶部３２、及び通信バス３３と共通するので、再度の説明は省略する。
【００６７】
また、本実施形態において、複合機１０の近接通信部２６は、Ｂｌｕｅｔｏｏｔｈ  ＬＥに準拠した近接無線通信が可能である。また、情報処理装置５０の近接通信部５６は、ＮＦＣに準拠した近接無線通信が可能である。さらに、携帯端末７０の近接通信部７６は、Ｂｌｕｅｔｏｏｔｈ  ＬＥに準拠した近接無線通信と、ＮＦＣに準拠した近接無線通信とが可能である。但し、近接通信部２６、５６、７６が準拠している近接通信プロトコルの組み合わせは、上記の例に限定されない。
【００６８】
［通信システム１００の動作］
図５〜図９を参照して、本実施形態に係る通信システム１００の動作を説明する。なお、複合機１０の制御プログラム３５は、Ｂｌｕｅｔｏｏｔｈ  ＬＥに準拠した所定の電波強度のビーコン信号を所定の時間間隔（例えば、１０ｍｓｅｃ）で繰り返し近接通信部２６に送出させている。すなわち、このビーコン信号は、例えば図１に破線で示されるように、複合機１０を中心とする所定の距離範囲内で無線受信が可能な無線信号である。また、このビーコン信号は、識別情報、特定情報、及び機能情報を含む。複合機１０がビーコン信号を送出する処理は、第１送信処理の一例である。
【００６９】
［ビーコン信号受信時の処理］
図５を参照して、ビーコン信号を受信した携帯端末７０が実行するビーコン信号受信時の処理を説明する。情報処理装置５０のユーザは、図１に示される部屋の内外を携帯端末７０を所持して移動することができる。また、携帯端末７０の制御プログラム８５は、Ｂｌｕｅｔｏｏｔｈ  ＬＥに準拠したビーコン信号（以下、「ＢＴビーコン」と表記する。）と、ＮＦＣに準拠したビーコン信号（以下、「ＮＦＣビーコン」と表記する。）とを、近接通信部５６が受信可能な状態にする。すなわち、近接通信部５６は、ビーコン信号を監視している（Ｓ１１）。
【００７０】
制御プログラム８５は、図１に破線で示される範囲に携帯端末７０が持ち込まれたことによって、近接通信部７６を通じて複合機１０からＢＴビーコンを受信する（Ｓ１１：Ｙｅｓ）。また、制御プログラム８５は、近接通信部７６を通じて連続して受信されるＢＴビーコンの数を、回数情報としてカウントする。カウントの対象となるＢＴビーコンは、同一の識別情報を含み、且つ電波強度が最低閾値以上のＢＴビーコンである。最低閾値は、後述する第１閾値よりも小さい値である。携帯端末７０がＢＴビーコンを受信する処理は、信号受信処理の一例である。
【００７１】
次に、制御プログラム８５は、受信したＢＴビーコンの電波強度が最低閾値未満になったか否かを判断する。制御プログラム８５は、肯定判断したことに応じて、ＢＴビーコンのカウントを終了する。或いは、制御プログラム８５は、異なる識別情報を含むＢＴビーコンを受信すると、異なる識別情報を含むＢＴビーコンの電波強度のほうが、カウントしているＢＴビーコンの電波強度よりも強くなったか否かを判断する。制御プログラム８５は、肯定判断したことに応じて、ＢＴビーコンのカウントを終了する。
【００７２】
すなわち、制御プログラム８５は、図１に破線で示される範囲から携帯端末７０が持ち出されたこと、或いは他の複合機１０から送出されたＢＴビーコンを受信したことに応じて、ＢＴビーコンのカウントを終了する。また、制御プログラム８５は、受信したＢＴビーコンの電波強度を、強度情報として近接通信部７６から取得する。強度情報は、連続してカウントした複数のＢＴビーコンのうち、最初或いは最後のＢＴビーコンの電波強度であってもよいし、カウントした全てのＢＴビーコンの電波強度の最大値或いは平均値等であってもよい。
【００７３】
次に、制御プログラム８５は、タイミング情報及び位置情報を取得する（Ｓ１２）。タイミング情報は、ＢＴビーコンを受信したときのＣＰＵ６１のクロックカウンタの値であってもよいし、ＢＴビーコンに含まれる時刻情報等であってもよい。位置情報は、ＢＴビーコンを受信した時点においてＧＰＳ部７７から出力された位置情報である。また、タイミング情報及び位置情報の取得タイミングは、例えば、カウントされた複数のＢＴビーコンのうち、最初のＢＴビーコンを受信したタイミングであってもよいし、最後のＢＴビーコンを受信したタイミングであってもよい。
【００７４】
そして、制御プログラム８５は、ＢＴビーコンから抽出した識別情報等と、カウントした回数情報と、近接通信部７６から取得した強度情報と、ステップＳ１２で取得したタイミング情報及び位置情報とを含む蓄積情報を、図４に示されるデータ記憶領域８２Ｂに記憶させる（Ｓ１３）。ステップＳ１３の処理は、記憶制御処理の一例である。
【００７５】
また、制御プログラム８５は、ＮＦＣビーコンを送出する情報処理装置５０に携帯端末７０がかざされたことによって、情報処理装置５０と携帯端末７０との間の距離が極めて接近すると、近接通信部７６を通じてＮＦＣビーコンを受信する（Ｓ１１：ＮＦＣビーコン）。そして、制御プログラム８５は、ＮＦＣビーコンの送出元である情報処理端末５０とＷｉ−Ｆｉダイレクト接続する（Ｓ１４）。
【００７６】
なお、制御プログラム８５は、ステップＳ１４において、近接通信部７６と情報処理装置５０のとの間でＮＦＣ方式の通信リンクを確立させる。次に、制御プログラム８５は、Ｗｉ−Ｆｉダイレクト接続するために必要な接続情報（例えば、ＳＳＩＤ）を、近接通信部７６を通じて情報処理装置５０に送信する、或いは近接通信部７６を通じて情報処理装置５０から受信する。そして、情報処理装置５０及び携帯端末７０は、当該接続情報を用いて、Ｗｉ−Ｆｉダイレクト接続する。
【００７７】
次に、制御プログラム８５は、Ｗｉ−Ｆｉ通信部７５を通じて、Ｗｉ−Ｆｉダイレクトによる通信によって、情報処理装置５０から要求情報を受信する（Ｓ１５）。なお、Ｗｉ−Ｆｉダイレクト接続された携帯端末７０において、制御プログラム８５がＷｉ−Ｆｉ通信部７５を通じて、Ｗｉ−Ｆｉダイレクトによる通信によって通信することを、単に「Ｗｉ−Ｆｉダイレクト接続されたＷｉ−Ｆｉ通信部７５を通じて通信する」とも記述する。要求情報は、蓄積情報の送信を要求するための情報である。
【００７８】
次に、制御プログラム８５は、要求情報を受信した時点においてＧＰＳ部７７から出力された位置情報を、現在位置情報として取得する（Ｓ１６）。そして、制御プログラム８５は、データ記憶領域８２Ｂに記憶されている蓄積情報と、ステップＳ１６で取得した現在位置情報とを、Ｗｉ−Ｆｉダイレクト接続されたＷｉ−Ｆｉ通信部７５を通じて情報処理装置５０に送信する（Ｓ１７）。ステップＳ１７の処理は、第２送信処理の一例である。
【００７９】
なお、制御プログラム８５は、ステップＳ１７において、データ記憶領域８２Ｂに記憶された全ての蓄積情報を送信してもよいし、データ記憶領域８２Ｂに記憶された蓄積情報のうち、現時点から過去に遡った閾値期間に含まれる蓄積情報のみを送信してもよいし、現時点から過去に遡った閾値個数の蓄積情報のみを送信してもよい。閾値期間とは、予め限られた期間のことであり、例えば１週間である。閾値個数とは、予め限られた個数のことであり、例えば１６個である。また、制御プログラム８５は、データ記憶領域８２Ｂに記憶された蓄積情報のうち、閾値期間より古くなった蓄積情報、或いは閾値個数の蓄積情報より古い蓄積情報を任意のタイミングで削除してもよい。
【００８０】
［プリンタ追加処理］
次に、図６を参照して、情報処理装置５０が実行するプリンタ追加処理を説明する。まず、情報処理装置５０の制御プログラム６５は、プリンタ設定画面を表示部５３に表示させることができる。図８（Ａ）は、プリンタ設定画面の一例である。図８（Ａ）に示されるプリンタ設定画面は、［プリンタの追加］アイコン１１１を含む。また、プリンタ設定画面は、例えば図１０（Ｂ）に示されるように、既に印刷プログラムがインストールされた複合機１０Ａ、１０Ｂのプリンタアイコン１１９、１２０を含んでもよい。
【００８１】
そして、制御プログラム６５は、［プリンタの追加］アイコン１１１を選択するユーザ操作を操作部５４を介して受け付けたことに応じて、図６に示されるプリンタ追加処理を実行する。［プリンタの追加］アイコン１１１の選択は、情報処理装置５０が複合機１０に記録処理を実行させるための準備を指示するユーザ操作の一例である。より具体的には、［プリンタの追加］アイコン１１１の選択は、情報処理装置５０に印刷プログラムをインストールすることを指示するユーザ操作の一例である。但し、プリンタ追加処理のトリガは、上記の例に限定されない。例えば、印刷プログラムがインストールされていない情報処理装置５０において、制御プログラム６５を通じて記録処理の実行を指示するユーザ操作がなされたことに応じて、プリンタ追加処理が実行されてもよい。
【００８２】
制御プログラム６５は、［プリンタの追加］アイコン１１１が選択されたことに応じて、近接指示画面を表示部５３に表示させる（Ｓ２１）。図８（Ｂ）は、近接指示画面の一例である。図８（Ｂ）に示される近接指示画面は、「携帯端末をかざしてください。」及び「−ビーコン信号送出中−」とのメッセージを含む。また、制御プログラム６５は、ＮＦＣビーコンを所定の時間間隔（例えば、１０ｍｓｅｃ）で繰り返し近接通信部５６に出力させる（Ｓ２２）。ステップＳ２２の処理は、ＮＦＣビーコンを受信した携帯端末７０からの応答信号を受信するまで継続される。
【００８３】
次に、制御プログラム６５は、ＮＦＣビーコンを受信した携帯端末７０とＷｉ−Ｆｉダイレクト接続をする（Ｓ２３：Ｙｅｓ）。情報処理装置５０と携帯端末７０とがＷｉ−Ｆｉダイレクト接続する手順は既に説明したので、再度の説明は省略する。次に、制御プログラム６５は、Ｗｉ−Ｆｉダイレクト接続されたＷｉ−Ｆｉ通信部５５を通じて、携帯端末７０に要求情報を送信する（Ｓ２４）。そして、制御プログラム６５は、Ｗｉ−Ｆｉダイレクト接続されたＷｉ−Ｆｉ通信部５５を通じて、携帯端末７０から蓄積情報を受信する（Ｓ２５）。ステップＳ２４の処理は、第３送信処理の一例である。ステップＳ２５は、情報受信処理の一例である。
【００８４】
次に、制御プログラム６５は、図７に示される選択受付処理を実行する（Ｓ２６）。選択受付処理は、複合機１０Ａ、１０Ｂのうちの１つを選択するユーザ操作を操作部５４を介して受け付ける処理である。選択受付処理は、例えばステップＳ２５において、異なる特定情報を含む複数の蓄積情報を受信したことに応じて実行される。すなわち、選択受付処理は、特定情報の送信元である複合機１０Ａ、１０Ｂの１つをユーザに選択させる処理である。一方、制御プログラム６５は、ステップＳ２５で受信した全ての蓄積情報に同一の特定情報が含まれていることに応じて、選択受付処理をスキップする。
【００８５】
まず、制御プログラム６５は、ステップＳ２５で受信した蓄積情報に基づいて、各複合機１０Ａ、１０Ｂの近接回数をカウントする（Ｓ３１）。具体的には、制御プログラム６５は、ステップＳ２５で受信した複数の蓄積情報のうち、識別情報“プリンタＡ”を含む蓄積情報の数を、複合機１０Ａの近接回数としてカウントする。すなわち、近接回数は、回数情報で示される回数、換言すれば、制御プログラム８５が近接無線通信部７６を通じて連続して受信したＢＴビーコンの数とは概念が異なる数である。同様に、制御プログラム６５は、ステップＳ２５で受信した複数の蓄積情報のうち、識別情報“プリンタＢ”を含む蓄積情報の数を、複合機１０Ｂの近接回数としてカウントする。ステップＳ３１の処理は、カウント処理の一例である。
【００８６】
なお、データ記憶領域８２Ｂに記憶された全ての蓄積情報を携帯端末７０が送信した場合、制御プログラム６５は、閾値期間内の蓄積情報のみ或いは閾値個数の蓄積情報のみをカウントの対象とすればよい。一方、閾値期間内の蓄積情報のみ或いは蓄積個数の蓄積情報のみを携帯端末７０が送信した場合、制御プログラム６５は、受信した全ての蓄積情報をカウントの対象とすればよい。図４の例では、複合機１０Ａの近接回数＝３回であり、複合機１０Ｂの近接回数＝２回である。後述する他の特定処理についても同様である。
【００８７】
また、制御プログラム６５は、ステップＳ３１において、蓄積情報に含まれる強度情報に基づいて、近接距離をさらに特定してもよい。近接距離とは、各複合機１０Ａ、１０Ｂと携帯端末７０とが最も近接した距離を示す情報である。本実施形態における近接距離は、“非常に近い”、“近い”、“やや遠い”の３種類とする。但し、近接距離の表現方法はこれに限定されず、例えば“２ｍ”等であってもよい。近接処理を特定する処理は、特定処理の他の例である。
【００８８】
制御プログラム６５は、例えば、識別情報“プリンタＡ”を含む蓄積情報のうちから、最大の電波強度（以下、「最大電波強度」と表記する。）を示す強度情報を抽出する。そして、制御プログラム６５は、最大電波強度が第１閾値未満であることに応じて、複合機１０Ａの近接距離を“やや遠い”にする。また、制御プログラム６５は、最大電波強度が第１閾値以上で且つ第２閾値未満であることに応じて、複合機１０Ａの近接距離を“近い”にする。さらに、制御プログラム６５は、最大電波強度が第２閾値以上であることに応じて、複合機１０Ａの近接距離を“非常に近い”にする。なお、第２閾値は、第１閾値より大きい。また、複合機１０Ｂの近接距離の特定方法も同様である。
【００８９】
次に、制御プログラム６５は、プリンタ選択画面を表示部５３に表示させる（Ｓ３２）。図９（Ａ）は、プリンタ選択画面の一例である。図９（Ａ）に示されるプリンタ選択画面は、１以上のプリンタアイコン１１２、１１３を含む。プリンタアイコン１１２、１１３それぞれは、蓄積情報に含まれる識別情報のうち、互いに異なる識別情報に対応付けられている。すなわち、プリンタ選択画面に含まれるプリンタアイコン１１２、１１３の数は、蓄積情報に含まれる識別情報で識別される複合機１０Ａ、１０Ｂの数と一致する。
【００９０】
また、プリンタアイコン１１２、１１３には、識別情報と、当該識別情報に対応する近接距離、近接回数、及び機能情報とが表示されている。識別情報及び機能情報は、蓄積情報から抽出されたものである。近接回数及び近接距離は、ステップＳ３１で特定されたものである。ステップＳ３２の処理は、識別情報、近接距離、近接回数、及び機能情報を対応付けて一覧表示させる表示処理の一例である。但し、プリンタ選択画面において、近接距離、近接回数、及び機能情報の表示は必須ではなく、一部又は全部を省略してもよいし、他の情報をさらに加えてもよい。
【００９１】
次に、制御プログラム６５は、プリンタ選択画面に含まれるプリンタアイコン１１２、１１３の１つを選択するユーザ操作を操作部５４を介して受け付けたことに応じて（Ｓ３３：Ｙｅｓ）、選択受付処理を終了する。本実施形態では、複合機１０Ａに対応するプリンタアイコン１１２が選択されたものとして、以下の処理を説明する。ステップＳ３３の処理は、受付処理の一例である。
【００９２】
図６に戻って、制御プログラム６５は、選択受付処理で選択をプリンタアイコン１１２に対応する蓄積情報から特定情報を抽出する。そして、制御プログラム６５は、抽出した特定情報で特定される取得元から、Ｗｉ−Ｆｉ通信部５５を通じて印刷プログラムを受信する（Ｓ２７）。本実施形態に係る制御プログラム６５は、識別情報“プリンタＡ”に対応する特定情報“ｂｒｏｔｈｅｒ．ｃｏｍ／プリンタＡ”から印刷プログラムを受信する。ステップＳ２７の処理は、プログラム受信処理の一例である。
【００９３】
次に、制御プログラム６５は、受信した印刷プログラムを情報処理装置５０にインストールする（Ｓ２８）。インストールとは、当該印刷プログラムを情報処理装置５０で実行可能にするための処理である。制御プログラム６５は、例えばステップＳ２８において、プログラム記憶領域６２Ａの所定の場所に印刷プログラムを記憶させ、当該印刷プログラムの情報をＯＳ６４のレジストリに登録する。ステップＳ２８の処理は、インストール処理の一例である。これにより、情報処理装置５０は、ユーザからの指示に従って、複合機１０Ａに記録処理を実行させることができるようになる。
【００９４】
具体的には、情報処理装置の制御プログラム６５は、記録処理の対象となるデータを指定するユーザ操作を操作部５４を介して受け付ける。次に、制御プログラム６５は、指定されたデータで示される画像を記録用紙に記録することを指示する記録指示情報を印刷プログラムに生成させる。そして、制御プログラム６５は、Ｗｉ−Ｆｉ通信部５５を通じて複合機１０に記録指示情報を送信する。一方、複合機１０の制御プログラム３５は、Ｗｉ−Ｆｉ通信部２５を通じて情報処理装置５０から記録指示情報を受信する。そして、制御プログラム３５は、受信した記録指示情報に従って記録処理を実行する。
【００９５】
［本実施形態の作用効果］
上記の実施形態によれば、携帯端末７０を携帯したユーザが複合機１０Ａ、１０Ｂの傍を通ることにより、当該複合機１０Ａ、１０Ｂから受信した特定情報が携帯端末７０に蓄積される。そして、携帯端末７０に蓄積された特定情報で特定される取得元から受信した印刷プログラムが、情報処理装置５０にインストールされる。すなわち、ユーザの行動範囲内に存在する複合機１０Ａ、１０Ｂの印刷プログラムを、ユーザに煩雑な操作を強いることなく、情報処理装置５０にインストールすることができる。
【００９６】
なお、上記の実施形態では、識別情報等がＢＴビーコンに含まれている例を説明したが、複合機１０と携帯端末５０との間で識別情報等を送受信する方法は、これに限定されない。例えば、携帯端末７０の制御プログラム８５は、所定の電波強度のＢＴビーコンを所定の時間間隔で繰り返し近接通信部７６に送出させてもよい。そして、当該ＢＴビーコンを受信した複合機１０の制御プログラム３５は、ＢＴビーコンの送出元である携帯端末７０に識別情報等を無線送信してもよい。
【００９７】
また、携帯端末７０の制御プログラム８５は、近接通信部７６を通じてＢＴビーコンを受信したことに応じて、複合機１０との間で通信リンクを確立させてもよい。そして、制御プログラム８５は、確立した通信リンクを通じて複合機１０に信号要求情報を送信してもよい。信号要求情報は、識別情報等の送信を要求するための情報である。そして、制御プログラム８５は、信号要求情報の応答として、確立した通信リンクを通じて複合機１０から識別情報等を受信してもよい。ここでの通信リンクとは、例えば、ＮＦＣに準拠した通信リンク、Ｂｌｕｅｔｏｏｔｈに準拠した通信リンク、Ｗｉ−Ｆｉダイレクトに準拠した通信リンクであってもよい。
【００９８】
同様に、情報処理装置５０と携帯端末７０との間で蓄積情報を送受信する方法は、ＮＦＣ及びＷｉ−Ｆｉダイレクトの組み合わせに限定されない。一例として、携帯端末７０の制御プログラム８５は、近接通信部７６にＮＦＣビーコンを送出させてもよい。そして、制御プログラム８５は、ＮＦＣビーコンを受信した情報処理装置５０から要求情報を受信したことに応じて、当該情報処理装置５０に蓄積情報を送信してもよい。他の例として、制御プログラム８５は、情報処理装置５０のとの間に確立されたＮＦＣに準拠した通信リンクを通じて、情報処理装置５０に蓄積情報を送信してもよい。さらに他の例として、制御プログラム８５は、無線ＬＡＮを通じて情報処理装置５０に蓄積情報を送受信してもよい。
【００９９】
また、上記の実施形態におけるプリンタ選択画面には、複合機１０Ａ、１０Ｂの近接距離、近接回数、及び機能が、識別情報と対応付けて表示される。これにより、行動範囲に最も近い複合機１０、或いは所望の機能を有している複合機１０を、ユーザに容易に選択させることができる。また、現時点から過去に遡った閾値期間内の蓄積情報のみを用いることによって、ユーザの最近の行動範囲内に存在する複合機１０の印刷プログラムが情報処理装置５０にインストールされやすくなる。但し、プリンタ選択画面に表示させる情報は、図９（Ａ）の例に限定されない。
【０１００】
例えば、情報処理装置５０の制御プログラム６５は、蓄積情報に含まれる回数情報と、ＢＴビーコンの送出間隔（例えば、１０ｍｓｅｃ）とを乗算することによって、近接時間を算出することができる。近接時間は、携帯端末７０を所持したユーザが複合機１０の近くに滞在している時間を指す。そして、制御プログラム６５は、プリンタ選択画面において、識別情報に対応付けて近接時間を表示させてもよい。これにより、ユーザが長時間滞在している場所に近い複合機１０が選択されやすくなる。また、変形例１、２において、プリンタ選択画面に表示させる情報の他の例を説明する。
【０１０１】
［変形例１］
図９（Ｂ）を参照して、変形例１に係る選択受付処理を説明する。なお、上記の実施形態との共通点の詳しい説明は省略し、相違点を中心に説明する。
【０１０２】
まず、情報処理装置５０の制御プログラム６５は、ステップＳ２５で受信した蓄積情報及び現在位置情報に基づいて、複合機１０Ａ、１０Ｂ及び情報処理装置５０の相対位置を特定する（Ｓ３１）。複合機１０Ａ、１０Ｂの位置は、識別情報に対応付けて蓄積情報に含められた位置情報によって特定される。情報処理装置５０は、蓄積情報と共に受信した現在位置情報によって特定される。
【０１０３】
すなわち、携帯端末７０がＢＴビーコンを受信した位置が、当該ＢＴビーコンの送出元の複合機１０Ａ、１０Ｂの位置とみなされる。また、情報処理装置５０にかざされた携帯端末７０の位置が、情報処理装置５０の位置とみなされる。また、制御プログラム６５は、同一の識別情報を含む複数の蓄積情報が存在する場合に、例えば、最大電波強度を示す強度情報に対応する位置情報を用いて複合機１０の位置を特定してもよいし、全ての位置情報の平均値を用いて複合機１０の位置を特定してもよい。
【０１０４】
制御プログラム６５は、例えばステップＳ３１において、情報処理装置５０の位置を基準とし、情報処理装置５０から南西方向に２ｍ離れた位置に複合機１０Ａが存在し、情報処理装置５０から北東方向に３ｍ離れた位置に複合機１０Ｂが存在することを特定してもよい。但し、複合機１０Ａ、１０Ｂ及び情報処理装置５０の相対位置の特定方法は、これに限定されない。
【０１０５】
次に、制御プログラム６５は、プリンタ選択画面を表示部５３に表示させる（Ｓ３２）。図９（Ｂ）は、プリンタ選択画面の他の例である。図９（Ｂ）に示されるプリンタ選択画面は、情報処理装置５０の位置を表すプロット８４と、複合機１０Ａ、１０Ｂそれぞれの位置を示すプロット８５、８６と、各プロット８５、８６で示される複合機１０Ａ、１０Ｂのプリンタ名及び機能を表示するバルーンとを含む。
【０１０６】
図９（Ｂ）に示されるプリンタ選択画面は、特定処理で特定された位置に対応する表示画面上の位置に複合機１０Ａ、１０Ｂの識別情報及び情報処理装置５０を示す画像を配置したマップ画像の一例である。なお、各バルーンに表示される情報は図９（Ｂ）の例に限定されず、例えば、近接回数、近接距離、近接時間等であってもよい。
【０１０７】
次に、制御プログラム６５は、複合機１０Ａ、１０Ｂのプロット８５、８６の１つを選択するユーザ操作を操作部５４を介して受け付けたことに応じて（Ｓ３３：Ｙｅｓ）、選択受付処理を終了する。選択されたプロット８５で示される複合機１０Ａの印刷プログラムを受信してインストールする処理（Ｓ２７、Ｓ２８）は、上記の実施形態と共通するので、再度の説明は省略する。
【０１０８】
すなわち、制御プログラム６５は、変形例１に係る選択受付処理において、ユーザが選択したプロット８５、８６に対応する複合機１０の選択を受け付けることができる。変形例１によれば、情報処理装置５０を基準として各複合機１０Ａ、１０Ｂの相対位置を把握できるので、所望の複合機１０をユーザに容易に特定させることができる。
【０１０９】
［変形例２］
次に、図１０（Ａ）を参照して、変形例２に係る選択受付処理を説明する。なお、上記の実施形態及び変形例１との共通点の詳しい説明は省略し、相違点を中心に説明する。
【０１１０】
まず、情報処理装置５０の制御プログラム６５は、ステップＳ２５で受信した蓄積情報に含まれる識別情報及びタイミング情報の組み合わせに基づいて、複合機１０Ａ、１０Ｂに携帯端末７０が近接した順序を特定する（Ｓ３１）。制御プログラム６５は、例えば、各蓄積情報に含まれる識別情報を、タイミング情報の昇順に並べることによって、近接順序を特定することができる。図４の例における近接順序は、過去から未来に向かって、プリンタＡ、プリンタＢ、プリンタＢ、プリンタＡ、プリンタＡの順である。
【０１１１】
次に、制御プログラム６５は、プリンタ選択画面を表示部５３に表示させる（Ｓ３２）。図１０（Ａ）は、プリンタ選択画面の他の例である。図１０（Ａ）に示されるプリンタ選択画面は、複合機１０Ａ、１０Ｂの識別情報が表示されたプリンタアイコン１１７、１１８と、特定処理で特定された近接順序を表す移動軌跡とを含む。図１０（Ａ）の例における移動軌跡は、プリンタアイコン１１７、１１８から延びる直線の間に配置された矢印で示される。携帯端末７０を所持したユーザの移動の向きが矢印の向きで示され、ユーザの移動の速度が矢印の傾きで示される。
【０１１２】
なお、図１０（Ａ）に示される矢印は、携帯端末７０を所持したユーザが複合機１０Ａ、１０Ｂの一方から他方に向かってまっすぐ進んできたことを表すものではない。図１０（Ａ）に示される矢印は、携帯端末７０を所持したユーザが、複合機１０Ａに近づいた後に複合機１０Ｂに近づいたこと、複合機１０Ｂから一旦離れた後に再び複合機１０Ｂに近づいたこと等を示しているに過ぎない。
【０１１３】
次に、制御プログラム６５は、プリンタ選択画面に含まれるプリンタアイコン１１７、１１８の１つを選択するユーザ操作を操作部５４を介して受け付けたことに応じて（Ｓ３３：Ｙｅｓ）、選択受付処理を終了する。選択されたプリンタアイコン１１７で示される複合機１０Ａの印刷プログラムを受信してインストールする処理（Ｓ２７、Ｓ２８）は、上記の実施形態と共通するので、再度の説明は省略する。
【０１１４】
すなわち、制御プログラム６５は、変形例２に係る選択受付処理において、ユーザが選択したプリンタアイコン１１７、１１８に対応する複合機１０の選択を受け付けることができる。変形例２によれば、ユーザの移動経路上に各複合機１０Ａ、１０Ｂがどのように配置されているかを把握できるので、所望の複合機１０をユーザに容易に特定させることができる。
【０１１５】
［変形例３］
次に、図１１を参照して、変形例３に係るプリンタ追加処理を説明する。なお、上記の実施形態及び変形例１、２との共通点の詳しい説明は省略し、相違点を中心に説明する。図１１のステップＳ２１〜Ｓ２５は、図６と共通する。一方、変形例３に係るプリンタ追加処理は、図１１のステップＳ４１〜Ｓ４４において、蓄積情報に含まれる特定情報で特定される全ての印刷プログラムを情報処理装置５０にインストールする点において、上記の実施形態と相違する。
【０１１６】
まず、情報処理装置５０の制御プログラム６５は、ステップＳ２５で受信した蓄積情報から全ての特定情報を抽出する。次に、制御プログラム６５は、抽出した特定情報それぞれで特定される取得元から、Ｗｉ−Ｆｉ通信部５５を通じて印刷プログラムを受信する（Ｓ４１）。次に、制御プログラム６５は、受信した印刷プログラムを情報処理装置５０にインストールする（Ｓ４２）。図４の例では、複合機１０Ａ、１０Ｂの印刷プログラムがインストールされる。ステップＳ４１の処理は、プログラム受信処理の他の例である。ステップＳ４２の処理は、インストール処理の他の例である。
【０１１７】
次に、制御プログラム６５は、選択受付処理を実行する（Ｓ４３）。ステップＳ４３では、実施形態及び変形例１、２で説明した選択受付処理のいずれか、或いはこれらを組み合わせた選択受付処理が実行される。そして、制御プログラム６５は、ステップＳ４３で選択された複合機１０の印刷プログラムを、優先して使用すべき印刷プログラムとしてＯＳ６４に通知する（Ｓ４４）。ステップＳ４４の処理は、通知処理の一例である。
【０１１８】
なお、優先して使用すべき印刷プログラムとは、例えば、情報処理装置５０で実行される任意のプログラムを通じて複合機１０に記録処理を実行させようとする場合に、デフォルトで選択される印刷プログラムを指す。すなわち、ステップＳ４３で複合機１０Ａが選択された場合、ユーザが複合機１０Ｂを明示的に選択しない限り、複合機１０Ａに記録処理を実行させる印刷プログラムが選択される。優先して使用すべき印刷プログラムは、例えば図１０（Ｂ）に示されるプリンタ設定画面において、プリンタアイコン１１９に付加された“レ”マークによって確認することができる。
【０１１９】
変形例３によれば、ユーザの行動範囲内に位置する全ての複合機１０Ａ、１０Ｂの印刷プログラムがインストールされ、且つユーザが選択した複合機１０Ａの印刷プログラムが優先して使用すべき印刷プログラムに設定される。その結果、ユーザによって好適な複合機１０に容易に記録処理を実行させることができる。
【０１２０】
また、実施形態及び変形例１〜３の複合機１０、情報処理装置５０，及び携帯端末７０において、記憶部３２、６２、８２のプログラム記憶領域３２Ａ、６２Ａ、８２Ａに記憶された各種プログラムがＣＰＵ３１、６１、８１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１２１】
さらに、本発明は、複合機１０、情報処理装置５０、及び携帯端末７０として実現できるだけでなく、複合機１０、情報処理装置５０，及び携帯端末７０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して複合機１０、情報処理装置５０、及び携帯端末７０に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【０１２２】
１０・・・複合機
１１・・・プリンタ部
３１，６１，８１・・・ＣＰＵ
５３・・・表示部
５４・・・操作部
２５，５５，７５・・・Ｗｉ−Ｆｉ通信部
２６，５６，７６・・・近接通信部
３２，６２，８２・・・記憶部
３５，６５，８５・・・制御プログラム
５０・・・情報処理装置
７０・・・携帯端末
７７・・・ＧＰＳ部
１００・・・通信システム